(57)【要約】  携帯電話のような電子通信装置であって、該装置を動作させるプロセッサと、周囲空気品質監視センサとを備え、前記プロセッサは、前記通信装置を、第１の動作モードにおいては、（ａ）前記空気品質の監視を生じさせ、空気品質のレベルを所定のレベルに対して評価し、（ｂ）所定のレベルの許容可能なカテゴリが識別される場合に通常の通信ルーチンが駆動されるように動作させ、第２の動作モードにおいては、（ａ）前記空気品質の監視を生じさせ、空気品質のレベルを所定のレベルに対して評価し、（ｂ）周囲空気の品質レベルがユーザの注意が必要と評価されると通常の通信ルーチンをインタラプトしてアラームルーチンを起動するように動作させることを特徴とする。
2010534966.tif 000002
【特許請求の範囲】
【請求項１】
携帯電話のような電子通信装置であって、該装置を動作させるプロセッサと、周囲空気品質監視センサとを備え、前記プロセッサは、前記通信装置を、第１の動作モードにおいては、（ａ）前記空気品質の監視を生じさせ、空気品質のレベルを所定のレベルに対して評価し、（ｂ）所定のレベルの許容可能なカテゴリが識別される場合に通常の通信ルーチンが駆動されるように動作させ、第２の動作モードにおいては、（ａ）前記空気品質の監視を生じさせ、空気品質のレベルを所定のレベルに対して評価し、（ｂ）周囲空気の品質レベルがユーザの注意が必要と評価されると通常の通信ルーチンをインタラプトしてアラームルーチンを起動するように動作させることを特徴とする電子通信装置。
【請求項２】
所定のレベルの有害カテゴリが識別された場合に、アラームルーチンが起動され、前記通常の通信ルーチンをインタラプトすることを特徴とする請求項１記載の電子通信装置。
【請求項３】
前記通信装置は、個人の性別、体重、年齢、身体活動レベル及び健康状態などの特性を表わす信号を入力する通信インタフェース及びこれらの特性に対応する複数の所定の動作モードを更に備えることを特徴とする請求項１又は２記載の電子通信装置。
【請求項４】
前記通信装置は、（ａ）検出された空気品質のレベル及び（ｂ）有害レベルに到達するまでの時間評価を表示するディスプレイを更に備えることを特徴とする請求項１−３の何れかに記載の電子通信装置。
【請求項５】
前記通信装置は、前記プロセッサに前記検出された空気品質を表わす信号を複数の時点で取得させる手段、複数のアラーム信号を記憶する手段、及び前記検出された空気品質を表わす前記信号の通し時間評価に基づいて空気品質レベルの指示を選択する手段を更に備えることを特徴とする請求項１−４の何れかに記載の電子通信装置。
【請求項６】
前記通信装置は、空気品質レベルを表わす信号及び前記空気品質レベルの監視時間を表わす信号を記録する手段を備えることを特徴とする請求項１−５の何れかに記載の電子通信装置。
【請求項７】
前記通信装置は、将来の動作モードをトリガする信号を入力する通信インタフェース、及び所定の時刻の到達に応じて動作モードをトリガするトリガ手段を更に備えることを特徴とする請求項１−６の何れかに記載の電子通信装置。
【請求項８】
前記通信装置は、有害カテゴリの空気の暴露が検出された期間を記録するレコーダ及び前記期間を当該装置のオペレータに知らせる通信インタフェースを更に備えることを特徴とする請求項１−７の何れかに記載の電子通信装置。
【請求項９】
前記通信装置は、ある期間の間動作モードの変化を表わす信号を記録するレコーダを更に備えることを特徴とする請求項１−８の何れかに記載の電子通信装置。
【請求項１０】
前記通信装置は、空気品質レベルを指示するインジケータ、前記プロセッサに前記検出された空気品質を表わす信号を複数の時点で取得させる手段、及び決定された空気品質レベルの変動を表示する手段を更に備えることを特徴とする請求項１−９の何れかに記載の電子通信装置。
【請求項１１】
前記通信装置は、所定のレベルの有害カテゴリが識別された場合に該装置を振動させるバイブレータアラームを更に備えることを特徴とする請求項１−１０の何れかに記載の電子通信装置。
【請求項１２】
前記通信装置は、所定のレベルの有害カテゴリが識別された場合に、視覚アラームとして作用する発光手段を更に備えることを特徴とする請求項１−１１の何れかに記載の電子通信装置。
【請求項１３】
前記通信装置は、該装置の状態を表わす信号を無線受信機に送信する無線送信機を備えることを特徴とする請求項１−１２の何れかに記載の電子通信装置。
【請求項１４】
前記プロセッサは、所定の時刻の到達に応じてリマインダアラームをトリガするように構成されることを特徴とする請求項１−１３の何れかに記載の電子通信装置。
【請求項１５】
前記プロセッサは、センサを試験及び／又は校正するためにリマインダアラームをトリガするように構成されることを特徴とする請求項１４の何れかに記載の電子通信装置。
【請求項１６】
前記プロセッサは、近くの／対応する／関連する燃料燃焼機器を整備及び／又は検査させるためにリマインダアラームをトリガするように構成されることを特徴とする請求項１−１５の何れかに記載の電子通信装置。
【請求項１７】
前記プロセッサは、音声アラームをトリガするように構成されることを特徴とする請求項１−１６の何れかに記載の電子通信装置。
【請求項１８】
前記通信装置は、前記プロセッサを収納する筐体と、センサを前記筐体から可変離間距離に保持し得るセンサホルダとを更に備えることを特徴とする請求項１−１７の何れかに記載の電子通信装置。
【請求項１９】
前記通信装置は、一つ以上の遠隔位置のセンサと通信する無線通信インタフェースを更に備えることを特徴とする請求項１−１８の何れかに記載の電子通信装置。
【請求項２０】
前記通信装置は、高度、大気、圧力、湿度及び／又は温度センサのうちの一つ以上を更に含み、前記空気品質センサから得られる値に加えて前記センサから得られる値に応じて空気品質のレベルの評価を調整する手段を更に備えることを特徴とする請求項１−１９の何れかに記載の電子通信装置。
【請求項２１】
前記通信装置は、前記センサを含む単一のマイクロプロセッサを組み込むことを特徴とする請求項１−２０の何れかに記載の電子通信装置。
【請求項２２】
前記通信装置は、その後の検索及び処理のために日付及び空気品質レベルを記憶するカレンダ機能ブロックを組み込むことを特徴とする請求項１−２１の何れかに記載の電子通信装置。
【請求項２３】
前記通信装置は、該装置のそばでオペレータが睡眠中に知覚し得るアラームをトリガするのに適した第１のアラームルーチンと、該装置のそばでオペレータが活動中に知覚しうるアラームをトリガするのに適した第２のアラームルーチンとを組み込むことを特徴とする請求項１−２２の何れかに記載の電子通信装置。
【請求項２４】
前記通信装置は、ユーザの注意が必要と評価された周囲空気品質のレベルを表わす信号を遠隔信号受信機に送信する手段を含むことを特徴とする請求項１−２３の何れかに記載の電子通信装置。
【請求項２５】
前記通信装置は、荷造りすべき一つ以上の物品に特有の警告信号をユーザに通信する手段と、ユーザに物品を荷造りすることを思い出させるためにユーザの位置変化前の期間中に前記警告信号のユーザへの通信をトリガするプロセッサとを更に備えることを特徴とする請求項１−２４の何れかに記載の電子通信装置。
【請求項２６】
前記通信装置は、該装置が旅行使用モードであることを検出する検出器を更に備えることを特徴とする請求項２５記載の電子通信装置。
【請求項２７】
前記検出器はタイムゾーン設定の変化を検出する手段と連動することを特徴とする請求項１−２６の何れかに記載の電子通信装置。
【請求項２８】
前記通信装置は、無線ネットワークにローミングする手段を備える携帯物品を備え、前記検出器はローミング状態の変化を検出する手段と連動することを特徴とする請求項２６又は２７記載の電子通信装置。
【請求項２９】
前記通信装置は充電器動作に適しており、前記通信装置は充電器が前記通信装置から分離されているときこの分離を検出するように構成された検出器を更に備えることを特徴とする請求項２６−２８の何れかに記載の電子通信装置。
【請求項３０】
前記通信装置は電源供給の変化を検出するように構成された検出器を備えることを特徴とする請求項２６−２９の何れかに記載の電子通信装置。
【請求項３１】
前記検出器は情報フォーマットの変化を検出するように構成されることを特徴とする請求項２６−３０の何れかに記載の電子通信装置。
【請求項３２】
前記検出器は言葉のような音響信号を検出し、該信号を記録媒体に記録された所定の信号と比較するように構成されることを特徴とする請求項２６−３１の何れかに記載の電子通信装置。
【請求項３３】
前記通信装置は光検出器を備えることを特徴とする請求項２６−３２の何れかに記載の電子通信装置。
【請求項３４】
前記通信装置は圧力検出器を備えることを特徴とする請求項２６−３３の何れかに記載の電子通信装置。
【請求項３５】
前記システムは、操作時に、警告信号を所定期間後に繰り返す要求を設定させる又はユーザに設定可能にするボタンを備えることを特徴とする請求項２６−３４の何れかに記載の電子通信装置。
【請求項３６】
前記通信装置は、前記物品をスイッチオン及び／又はオフするスイッチと、該装置がスイッチオンされない間警告信号発生手段を給電する手段とを備えることを特徴とする請求項２６−３５の何れかに記載の電子通信装置。
【請求項３７】
前記通信装置は、該装置の位置を検出する手段及び位置に応じて警告信号発生のタイミングを制御する手段を備えることを特徴とする請求項２６−３６の何れかに記載の電子通信装置。
【請求項３８】
前記通信装置は、受信機と受信した信号に応答するアラームとを含む周辺装置に前記信号を送る手段を備えることを特徴とする請求項２６−３７の何れかに記載の電子通信装置。
【請求項３９】
前記受信機は受信信号に可聴的に、可視的に及び／又は知覚可能に瞬時に応答することを特徴とする請求項２６−３８の何れかに記載の電子通信装置。
【請求項４０】
空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを備える空気品質監視装置において、前記監視装置は、個人の性別、体重、年齢、身体活動レベル及び健康状態などの特性を表わす信号を入力する通信インタフェース及びこれらの特性に対応する複数の所定の動作モードを更に備えることを特徴とする空気品質監視装置。
【請求項４１】
空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを備える空気品質監視装置において、前記監視装置は、（ａ）検出された空気品質のレベル及び（ｂ）有害レベルに到達するまでの時間評価を表示するディスプレイを備え、有害レベルまでのカウントダウンを表示することを特徴とする空気品質監視装置。
【請求項４２】
空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを備える空気品質監視装置において、前記監視装置は、更に、将来の動作モードをトリガする信号を入力する通信インタフェース及び所定の時刻の到達に応じて動作モードをトリガするトリガ手段を備えることを特徴とする空気品質監視装置。
【請求項４３】
空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを備える空気品質監視装置において、前記プロセッサは、所定の時刻の到達に応じてリマインダアラームをトリガするように構成されていることを特徴とする空気品質監視装置。
【請求項４４】
空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを備える空気品質監視装置において、前記監視装置は、該装置のそばでオペレータが睡眠中に知覚し得るアラームをトリガするのに適した第１のアラームルーチンと、該装置のそばでオペレータが活動中に知覚しうるアラームをトリガするのに適した第２のアラームルーチンとを備えることを特徴とする空気品質監視装置。
【請求項４５】
周囲空気を監視するように構成された空気品質監視センサが組み込まれた携帯電話。
【請求項４６】
周囲空気を監視するように構成された空気品質監視センサが組み込まれた全地球測位システム。
【請求項４７】
周囲空気を監視するように構成された空気品質監視センサが組み込まれたテレビジョン。
【請求項４８】
周囲空気を監視するように構成された空気品質監視センサが組み込まれた携帯コンピュータ。
【請求項４９】
周囲空気を監視するように構成された空気品質監視センサが組み込まれたデスクトップコンピュータ。
【請求項５０】
周囲空気を監視するように構成された空気品質監視センサが組み込まれたベビーモニタ。
【請求項５１】
周囲空気を監視するように構成された空気品質監視センサが組み込まれたホームセキュリティシステム。
【請求項５２】
荷造りすべき一つ以上の物品に特有の警告信号をユーザに送る手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記検出器はタイムゾーン設定の変化を検出する手段と連動することを特徴とする旅行荷造り援助システム。
【請求項５３】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記システムは無線ネットワークにローミングする手段を備える携帯物品を内蔵し、前記検出器はローミング状態の変化を検出する手段と連動することを特徴とする旅行荷造り援助システム。
【請求項５４】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記検出器は充電器が携帯電池駆動物品から分離されているときこの分離を検出するように構成されることを特徴とする旅行荷造り援助システム。
【請求項５５】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記物品は充電器のプラグを抜くことにより前記システムを起動する手段を備えること特徴とする旅行荷造り援助システム。
【請求項５６】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記検出器は電源供給の変化を検出するように構成されることを特徴とする旅行荷造り援助システム。
【請求項５７】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記検出器は情報フォーマットの変化を検出するように構成されることを特徴とする旅行荷造り援助システム。
【請求項５８】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記検出器は言葉のような音響信号を検出し、前記信号を記録媒体に記憶された所定の信号と比較するように構成されることを特徴とする旅行荷造り援助システム。
【請求項５９】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記検出器は光検出器であることを特徴とする旅行荷造り援助システム。
【請求項６０】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは物品が旅行使用モードであることを検出する検出器を更に備え、前記検出器は圧力検出器であることを特徴とする旅行荷造り援助システム。
【請求項６１】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは、操作時に、警告信号を所定期間後に繰り返えさせるボタンを有する携帯物品を更に備えることを特徴とする旅行荷造り援助システム。
【請求項６２】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは電動物品を更に備え、前記物品は前記物品をスイッチオン及び／又はオフするスイッチと該装置がスイッチオンされない間警告信号発生手段を給電する手段とを備えることを特徴とする旅行荷造り援助システム。
【請求項６３】
荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備える旅行荷造り援助システムにおいて、前記システムは、携帯物品と、位置に応じて警告信号発生のタイミングを制御する命令を受信する手段とを更に備えることを特徴とする旅行荷造り援助システム。
【発明の詳細な説明】
【技術分野】
【０００１】
本発明は応答装置の改良に関する。
【先行技術文献】
【特許文献】
【０００２】
【特許文献１】米国特許第４１７８５９２号明細書
【特許文献２】英国特許第２４０４４５９号明細書
【特許文献３】米国特許第４３５６２３７号明細書
【特許文献４】米国特許第５５９４４２２号明細書
【特許文献５】米国特許第３９６８９７５号明細書
【特許文献６】米国特許第５７２６６３４号明細書
【特許文献７】米国特許第２００２／１２６０１６号明細書
【特許文献８】国際出願公開第９３／２２７５２号明細書
【特許文献９】英国特許第２３２４３９８号明細書
【特許文献１０】米国特許第６４６２６６０号明細書
【特許文献１１】米国特許第２００４／１１９６００号明細書
【特許文献１２】欧州特許第１４４１３００号明細書
【特許文献１３】米国特許第２００６／２５８４０７号明細書
【特許文献１４】米国特許第５８９４２７５号明細書
【特許文献１５】米国特許第５８０１６２９号明細書
【特許文献１６】米国特許第６１０４２８８号明細書
【特許文献１７】英国特許第２４００９５９号明細書
【特許文献１８】国際出願公開第９９／０２９８７号明細書
【特許文献１９】欧州特許第０９９５１１５号明細書
【発明の概要】
【０００３】
第１の広義の独立態様においては、携帯電話のような電子通信装置を提供し、該電子通信装置は、該装置を動作させるプロセッサと、周囲空気品質監視センサとを具え、前記プロセッサは、前記通信装置を、第１の動作モードにおいては、（ａ）前記空気品質の監視を生じさせ、空気品質のレベルを所定のレベルに対して評価し、（ｂ）所定のレベルの許容可能なカテゴリが識別される場合に通常の通信ルーチンが駆動されるように動作させ、第２の動作モードにおいては、（ａ）前記空気品質の監視を生じさせ、空気品質のレベルを所定のレベルに対して評価し、（ｂ）周囲空気の品質レベルがユーザの注意が必要と評価されると通常の通信ルーチンをインタラプトしてアラームルーチンを起動するように動作させることを特徴とする。
【０００４】
「通信」という語は広義に解釈すべきであり、例えば時計の文字盤の表示の形態の通信、テレビジョンの表示スクリーン及びオーディオシステムにより提供される通信、ＰＣ、ラップトップ又は任意の他の類似のデバイス、およびＧＰＳユニット、ベビーモニタ又はホームセキュリティシステムで達成される通信を含む。
【０００５】
従属態様においては、所定のレベルの有害カテゴリが識別された場合に、アラームルーチンが起動され、通常の通信ルーチンをインタラプトする。
【０００６】
他の従属態様においては、前記通信装置は、個人の性別、体重、年齢、身体活動レベル及び健康状態などの特性を表わす信号を入力する通信インタフェース及びこれらの特性に対応する複数の所定の動作モードを更に備える。
【０００７】
他の従属態様においては、前記通信装置は、（ａ）検出された空気品質のレベル及び（ｂ）有害レベルに到達するまでの時間評価を表示するディスプレイを更に備える。
【０００８】
他の従属態様においては、前記通信装置は、前記プロセッサに前記検出された空気品質を表わす信号を複数の時点で取得させる手段、複数のアラーム信号を記憶する手段、及び前記検出された空気品質を表わす前記信号の通し時間評価に基づいて空気品質レベルの指示を選択する手段を更に備える。
【０００９】
他の従属態様においては、前記通信装置は、空気品質レベルを表わす信号及び前記空気品質レベルの監視時間を表わす信号を記録する手段を備える。
【００１０】
他の従属態様においては、前記通信装置は、将来の動作モードをトリガする信号を入力する通信インタフェース、及び所定の時刻の到達に応じて動作モードをトリガするトリガ手段を更に備える。
【００１１】
他の従属態様においては、前記通信装置は、有害カテゴリの空気の暴露が検出された期間を記録するレコーダ及び前記期間を装置のオペレータに知らせる通信インタフェースを更に備える。
【００１２】
他の従属態様においては、前記通信装置は、ある期間の間動作モードの変化を表わす信号を記録するレコーダを更に備える。
【００１３】
他の従属態様においては、前記通信装置は、空気品質レベルを指示するインジケータ、前記プロセッサに前記検出された空気品質を表わす信号を複数の時点で取得させる手段、及び決定された空気品質レベルの変動を表示する手段を更に備える。
【００１４】
他の従属態様においては、前記通信装置は、所定のレベルの有害カテゴリが識別された場合に該装置を振動させるバイブレータアラームを更に備える。
【００１５】
他の従属態様においては、前記通信装置は、所定のレベルの有害カテゴリが識別された場合に、視覚アラームとして作用する発光手段を更に備える。
【００１６】
他の従属態様においては、前記通信装置は、該装置の状態を表わす信号を無線受信機に送信する無線送信機を備える。
【００１７】
他の従属態様においては、前記プロセッサは、所定の時刻の到達に応じてリマインダアラームをトリガするように構成される。
【００１８】
他の従属態様においては、前記プロセッサは、センサを試験及び／又は校正するためにリマインダアラームをトリガするように構成される。
【００１９】
他の従属態様においては、前記プロセッサは、近くの／対応する／関連する燃料燃焼機器を整備及び／又は検査させるためにリマインダアラームをトリガするように構成される。
【００２０】
他の従属態様においては、前記プロセッサは、音声アラームをトリガするように構成される。
【００２１】
他の従属態様においては、前記通信装置は、前記プロセッサを組み込むハウジングと、センサを前記ハウジングから可変離間距離に保持し得るセンサホルダとを更に備える。
【００２２】
他の従属態様においては、前記通信装置は、一つ以上の遠隔位置のセンサと通信する無線通信インタフェースを更に備える。
【００２３】
他の従属態様においては、前記通信装置は、高度、大気、圧力、湿度及び／又は温度センサのうちの一つ以上を更に組み込み、前記空気品質センサから得られる値に加えて前記センサから得られる値に応じて空気品質のレベルの評価を調整する手段を更に備える。
【００２４】
他の従属態様においては、前記通信装置は、前記センサを組み込む単一のマイクロプロセッサを組み込む。
【００２５】
他の従属態様においては、前記通信装置は、次の検索及び処理のために日付及び空気品質レベルを記憶するカレンダ機能ブロックを組み込む。
【００２６】
他の従属態様においては、前記通信装置は、該装置のそばにいるとき、オペレータの睡眠中に知覚し得るアラームをトリガするのに適した第１のアラームルーチンと、該装置のそばにいるとき、オペレータが活動中に知覚しうるアラームをトリガするのに適した第２のアラームルーチンとを組み込む。
【００２７】
他の従属態様においては、前記通信装置は、ユーザの注意が必要と評価された周期空気品質のレベルを表わす信号を遠隔信号受信機に送信する手段を組み込む。
【００２８】
他の従属態様においては、前記通信装置は、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを更に備える。
【００２９】
他の従属態様においては、前記通信装置は、該装置が旅行使用モードであることを検出する検出器を更に備える。
【００３０】
他の従属態様においては、前記検出器はタイムゾーン設定の変化を検出する手段と連動する。
【００３１】
他の従属態様においては、前記通信装置は、無線ネットワークにローミングする手段を具える携帯物品を組み込み、前記検出器はローミング状態の変化を検出する手段と連動する。
【００３２】
他の従属態様においては、前記通信装置は充電器動作に適しており、前記通信装置は充電器が前記通信装置から分離されているときこの分離を検出するように構成された検出器を組み込む。
【００３３】
他の従属態様においては、前記通信装置は電源供給の変化を検出するように構成された検出器を組み込む。
【００３４】
他の従属態様においては、前記検出器は情報フォーマットの変化を検出するように構成される。
【００３５】
他の従属態様においては、前記検出器は言葉のような音響信号を検出し、該信号を記録媒体に記録された所定の信号と比較するように構成される。
【００３６】
他の従属態様においては、前記通信装置は光検出器を組み込む。
【００３７】
他の従属態様においては、前記通信装置は圧力検出器を組み込む。
【００３８】
他の従属態様においては、前記システムは、操作時に、警告信号を所定期間後に繰り返す要求を設定させる又は装置に設定可能にするボタンを組み込む。
【００３９】
他の従属態様においては、前記通信装置は、前記物品をスイッチオン及び／又はオフするスイッチと、該装置がスイッチオンされない間警告信号発生手段を給電する手段とを備える。
【００４０】
他の従属態様においては、前記通信装置は、該装置の位置を検出する手段及び位置に応じて警告信号発生のタイミングを制御する手段を組み込む。
【００４１】
他の従属態様においては、前記通信装置は、受信機及び受信した信号に応答するアラームを含む周辺装置に前記信号を送る手段を組み込む。
【００４２】
他の従属態様においては、前記受信機は受信信号に瞬時に応答するように構成される。前記応答は可聴、随意に可視及び／又は知覚可能応答の少なくとも一つとし得る。
【００４３】
他の広義の態様においては、本発明は空気品質監視装置を提供し、該監視装置は、空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを具え、前記監視装置は、更に、個人の性別、体重、年齢、身体活動レベル及び健康状態などの特性を表わす信号を入力する通信インタフェース及びこれらの特性に対応する複数の所定の動作モードを備える。
【００４４】
他の広義の態様においては、本発明は空気品質監視装置を提供し、該監視装置は、空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを具え、前記監視装置は、（ａ）検出された空気品質のレベル及び（ｂ）有害レベルに到達するまでの時間評価を表示するディスプレイを備える。
【００４５】
他の広義の態様においては、本発明は空気品質監視装置を提供し、該監視装置は、空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを具え、前記監視装置は、更に、将来の動作モードをトリガする信号を入力する通信インタフェース及び所定の時刻の到達に応じて動作モードをトリガするトリガ手段を備える。
【００４６】
他の広義の態様においては、本発明は空気品質監視装置を提供し、該監視装置は、空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを具え、前記プロセッサは、所定の時刻の到達に依存してリマインダアラームをトリガするように構成される。
【００４７】
他の広義の態様においては、本発明は空気品質監視装置を提供し、該監視装置は、空気に暴露されるセンサと、プロセッサと、前記センサにより検出された空気品質を表わす信号を前記プロセッサに送る通信チャネルと、前記センサから受信された信号に基づいて前記プロセッサによりトリガされるアラームとを具え、前記監視装置は、該装置のそばにいるとき、オペレータの睡眠中に知覚し得るアラームをトリガするのに適した第１のアラームルーチンと、該装置のそばにいるとき、オペレータが活動中に知覚しうるアラームをトリガするのに適した第２のアラームルーチンとを組み込む。
【００４８】
他の広義の態様においては、本発明は周囲空気を監視するように構成された空気品質監視センサが組み込まれた携帯電話を提供する。
【００４９】
他の広義の態様においては、本発明は周囲空気を監視するように構成された空気品質監視センサが組み込まれた全地球測位システムを提供する。
【００５０】
他の広義の態様においては、本発明は周囲空気を監視するように構成された空気品質監視センサが組み込まれたテレビジョンを提供する。
【００５１】
他の広義の態様においては、本発明は周囲空気を監視するように構成された空気品質監視センサが組み込まれた携帯コンピュータを提供する。
【００５２】
他の広義の態様においては、本発明は周囲空気を監視するように構成された空気品質監視センサが組み込まれたデスクトップコンピュータを提供する。
【００５３】
他の広義の態様においては、本発明は周囲空気を監視するように構成された空気品質監視センサが組み込まれたベビーモニタを提供する。
【００５４】
他の広義の態様においては、本発明は周囲空気を監視するように構成された空気品質監視センサが組み込まれたホームセキュリティシステムを提供する。
【００５５】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器はタイムゾーン設定の変化を検出する手段と連動する。
【００５６】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記システムは無線ネットワークにローミングする手段を具える携帯物品を組み込み、前記検出器はローミング状態の変化を検出する手段と連動する。
【００５７】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器は充電器が携帯電池駆動物品から分離されているときこの分離を検出するように構成される。
【００５８】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器は充電器のプラグを抜くことにより前記システムを起動する手段を組み込む。
【００５９】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器は電源供給の変化を検出するように構成される。
【００６０】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器は情報フォーマットの変化を検出するように構成される。
【００６１】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器は言葉のような音響信号を検出し、前記信号を記録媒体に記憶された所定の信号と比較するように構成される。
【００６２】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器は光検出器である。
【００６３】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは物品が旅行使用モードであることを検出する検出器を更に備え、前記検出器は圧力検出器である。
【００６４】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは、操作時に、警告信号を所定期間後に繰り返えさせるボタンを有する携帯物品を更に具える。
【００６５】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは電動物品を更に具え、前記物品は前記物品をスイッチオン及び／又はオフするスイッチと該物品がスイッチオンされない間警告信号発生手段を給電する手段とを備える。
【００６６】
他の広義の態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを備え、前記システムは、携帯物品と、位置に応じて警告信号発生のタイミングを制御する命令を受信する手段とを更に備える。
【００６７】
他の広義の態様においては、本発明は添付テキストの任意の適切な組み合わせと関連して以上に記載された旅行荷造り援助システムを提供する。
【００６８】
他の広義の態様においては、本発明は添付テキストの任意の適切な組み合わせと関連して以上に記載された装置を提供する。
【００６９】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、前記アラームを収納する筐体と、前記センサを前記筐体から可変離間距離に保持することができるセンサホルダとを更に備える。
【００７０】
この特徴は、装置筐体を検出のために最適な空気流に暴露されないかもしれない位置に位置させてもセンサを有利な検出を行うことができる位置に位置させることができるために特に有利である。本発明の第1の広義の独立態様に係る従属態様においては、監視装置はテレスコープ状部材の形態のホルダを備える。他の従属態様においては、センサホルダには、ハウジングとセンサとの距離を延長するために、延長可能部、ばね部、開口部、折り畳み可能部又は旋回可能部を設けることができる。
【００７１】
これは一部の携帯電話プロバイダにより採用されている折り畳み／旋回構成の形を取ることができる。
【００７２】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、時間および空気品質レベルを指示する一つ以上のインジケータを更に備える。
【００７３】
この特徴は、装置とのユーザインタラクション及び親密性を増大するため特に有利である。時間インジケータが時計の形を取る場合、例えば観察者はこのインジケータを一日中絶えず参照するため、潜在的な危険を可聴アラームがトリガされる前に検出し得る。
【００７４】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記コントローラは、時間管理デバイスと、将来の動作モードをトリガする信号を入力する通信インタフェース、及び所定の時刻の到達に応じて動作モードをトリガするトリガ手段を備える。
【００７５】
この構成は、監視装置をカレンダ、オーガナイザ及びリマインダとして機能させることができるために特に有利である。この従属態様においては、この装置によって機器（例えばボイラー）の年間整備の必要性を観察者に知らせることが可能になる。また、夜間のようなオペレータ選択期間の間動作モードをアクティブに制御することもできる。これは、デバイスを旅行空気品質監視装置として使用する場合に特に有利であり、なぜなら移動中の電池の使用が避けられるためである。
【００７６】
この構成は、監視装置自体が最後に試験された日時を記録することもでき、次の試験のためのリマインダを入力することもできるために特に有利である。
【００７７】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、前記コントローラに前記検出された空気品質を表わす信号を複数の時点で取得させる手段と、複数のアラーム信号を記憶する手段と、前記検出された空気品質を表わす前記信号の通し時間評価に基づいて前記アラーム信号を選択する手段を更に備える
【００７８】
この構成は、インテリジェントな測定応答を可能にするために特に有利である。例えば、センサが一酸化炭素センサであるとき、この構成の装置は、一酸化炭素の暴露が危険か適度かを評価することができる。装置の応答を種々の所定の状態に調整することができる。また、オペレータはアラームを空気品質監視装置が保護すべき人の種類に対して選択することもできる。この構成は、例えばアラームを室内又は室外で発生させることができるとともに、最少の練習で２，３歳の幼児にも理解できるようにすることができる。また、オペレータが装置上の適当なスイッチを押すことによって上昇アラーム又はフルアラームを選択することもできる。時計と監視装置を組み合わせた実施例においては、アラームは監視装置のユーザの近くで鳴動する。比較的高いデシベルレベルの一発のアラームは気づきにくく、望ましくないため、上昇アラームが好ましい。この構成は、臨界暴露カウントダウン期間後又はユーザが特に被害を受け易い期間又は睡眠中のように無警戒になりやすい期間中はアラーム又はフルアラームを鳴らすようにすることができる。
【００７９】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、危険が生じた時間を表わす信号を記録するレコーダを更に備える。
【００８０】
この構成は、例えばボイラーの間欠的な故障を識別することができるために特に有利である。例えば、ボイラーを温水の加熱に３０分間だけ、必ずしも監視中の室内の一酸化炭素をしきい値レベルに到達させることなく使用することができる。
【００８１】
従属態様においては、監視装置は、アラームのトリガを遅らせる手段を含むこともできる。これによりオペレータは受入可能な暴露時間を入力することが可能になる。また、必要に応じ、検出された空気品質の特定のレベルによって推奨避難時間を指示することもできる。この指示は、その場で作業又は生存できないかもしれない既知の危険区域で働く労働者又は軍人を救命するために不可欠作業の調整を可能にするが、同時に臨界暴露レベルの認識は状態の最適な管理を容易にする。
【００８２】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、ある期間の間動作モードの変化を表わす信号を記録するレコーダを更に備える。
【００８３】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、危険な空気の暴露が検出された期間を記録するレコーダと、前記期間を該装置のオペレータに通信する通信インタフェースとを更に備える。
【００８４】
この構成は、オペレータが暴露レベルを正確に決定できるために特に有利である。これは、例えば医療スタッフが所定の状態において使用すべき処置の最善策を決定するのを助ける。
【００８５】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、空気品質レベルを指示するインジケータと、前記コントローラに前記検出された空気品質を表わす信号を複数の時点で取得させる手段と、決定された空気品質レベルの変動を表示する手段を更に備える。
【００８６】
これは、監視装置のユーザが臨界状態を直ちに識別することを可能にする。第８の広義の独立態様に係る従属態様においては、前記変動を表示する手段は絶えず変化するインテリジェント読み出しを行うものとし、当該ユーザが正しく機能することの視覚的確認を提供することができる。
【００８７】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は、監視空間に居住する個人の性別、体重、年齢、身体活動レベル及び健康状態などの特性を表わす信号を入力する通信インタフェースと、これらの特性に対応する複数の所定の動作モードを更に備える。これにより、監視装置の効率を向上させるために、アラームを個人の特定のニーズに合わせることができる。
【００８８】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は該装置を振動させるバイブレータアラームを更に備える。
【００８９】
この構成は、危険の検出を体感させることができるために特に有利であり、特に聴覚障害者又は部分視覚障害者に有利である。
【００９０】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は視覚アラームとして作用する発光手段を備える。この構成は、当該装置を聴覚障害者に対して危険の存在を通信するのに有効とすることができるために特に有利である。
【００９１】
他の広義の独立態様においては、本発明は空気品質監視装置を提供し、該監視装置は、空気に暴露されるセンサと、前記監視装置を起動する起動器と、コントローラと、前記センサにより検出された空気品質を表わす信号を前記コントローラに送る通信チャネルと、前記センサから受信された信号に基づいて前記コントローラによりトリガされるアラームとを具え、前記監視装置は当該装置の状態を表わす信号を無線受信機に送る送信機を備える。
【００９２】
この構成は、リモート監視を可能にするために特に有利である。これは、無線リンクがモバイルネットワークを介して携帯電話に接続される場合、親が例えば子供が寝ている部屋を、必ずしもモニタを見る必要なく、またアラームの可聴範囲にいなくても、監視できるため、特に有利である。
【００９３】
本発明は、上記の態様の何れかに係る空気品質監視装置が組み込まれた口述録音機も提供する。この特徴の組み合わせは、口述録音機の動作中ユーザはそのディスプレイに特別の注意を払う必要があるため特に有利である。また、基本的な口述録音機構造に加えて、最少のコンポーネントで構成することもできる。例えば、口述録音機のスピーカを録音の再生を聞くためと、アラームを鳴らすための両方に使用できる。更に、口述録音機を必要に応じバイブレータとして構成する場合には、オペレータは録音機を保持する手を介して危険を直ちに感知することができる。
【００９４】
本発明は、上記の態様の何れかに係る空気品質監視装置が組み込まれた旅行アラームも提供する。空気品質監視装置を旅行アラームに組み込むといくつかの特別な利点が得られる。例えば、旅行アラームがスピーカを内蔵する場合、スピーカは危険空気品質に関連するアラームを鳴らすように、また通常のごとくユーザを目覚めさせるアラームを鳴らすように構成できる。また、空気品質監視装置をユーザの近く、例えばベッドサイドキャビネットの上に位置させ、装置とユーザとの間の効率的な通信を達成することもできる。一実施例では、ユーザは時刻と現在の空気品質を一目で確認することができ、よって差し迫った危険に対するユーザの意識及び応答時間を高めることもできる。
【００９５】
他の広義の独立態様においては、本発明は旅行荷造り援助システムを提供し、該システムは、荷造りすべき一つ以上の物品に特有の警告信号をユーザに通信する手段と、ユーザに物品を荷造りすることを思い出させるためにユーザの位置変化前の期間中に前記信号のユーザへの通信をトリガするプロセッサとを更に備える。
【００９６】
本発明の上記の広義の独立態様に係る従属態様においては、前記通信手段は携帯物品に集積化される。これにより、例えばホテルを離れる前に前記物品自体が聞こえて位置を示すことができる。また、このシステムは、固定された及び／又は壁に装着されたコンポーネントを必要とすることなく動作することもできる。
【００９７】
本発明の上記の広義の独立態様に係る従属態様においては、前記システムは物品が旅行使用モードであることを検出する検出器を備える。これにより、システムを自動化又は少なくとも部分的に自動化することができ、ユーザ及び／又は旅行者は必ずしも旅行荷造り援助システムの動作を開始させる必要がなくなる。
【００９８】
本発明の上記の広義の独立態様に係る従属態様においては、前記検出器はタイムゾーンの変化を検出する手段と連動する。この構成により、本システムは、例えばユーザが携帯電話のようなモバイルデバイスに新しい時刻を入力するとき、旅行モードを検出することが可能になる。このシステムは自動クロック変化を知ることもでき、これは携帯物品との制御通信チャネルを介する無線ネットワークで容易になる。
【００９９】
本システムは、旅行モードにあるかどうかを確認するために例えばユーザインタフェースを開いてユーザのスクリーンを利用可能にすることができる。ユーザが旅行モードを表す信号を入力する場合には、システムはアラーム信号のトリガ用にホテル出発日時を入力するよう要求する。ユーザが旅行モードでないことを表す信号を入力する場合には、システムは旅行モードの次の変化が検出されるまでシャットダウンする。
【０１００】
他の従属態様においては、前記システムは無線ネットワークにローミングする手段を有する携帯物品を組み込み、前記検出器はローミング状態の変化を検出する前記手段と連動する。この構成は、本システムをすでにローミング状態の変化に応答する携帯電話のような既存の無線携帯物品に容易に組み込むことができるため、特に有利である。この構成でも、本システムは随意にユーザインタフェースを開いてユーザが所要の援助のレベル及び時刻を選択できるようにすることができる。
【０１０１】
他の従属態様においては、本発明は２つの携帯物品を含むシステムを提供し、該システムにおいて前記物品の一方は携帯電動物品であり、他方は前記携帯電動物品のための充電器であり、前記検出器は、前記充電器が前記携帯電動物品から分離されるときこの分離を検出するように構成される。この形の検出もシステムの設定を可能にする。この構成は、ユーザがシステムを駆動する必要なしに自動的に動作させることができるため特に有利である。
【０１０２】
他の従属態様においては、前記システムは充電器の形の携帯物品と、前記充電器のプラグを抜くことによって前記システムを起動する手段とを含む。この構成は、荷造り処理の典型的な作業を検出することによってシステムの開始を自動的に又は少なくとも部分的に自動的にトリガすることができるため、特に有利である。
【０１０３】
他の従属態様において、前記システムは電動物品を含み、前記検出器は電源供給の変化を検出するように構成される。この構成は、例えば異なる電圧レベルの目的地への旅行中に携帯物品がプラグインされるときに起こる電圧の変化の検出を可能にするため、特に有利である。本システムはモバイルデバイスに容易に組み込むことができるために特に有利である。なぜなら多くのモバイルデバイスは複数の電圧間で自動的に変化する手段をすでに内蔵しているためである。電圧の変化を監視することによって、本システムは容易に開始又は自動的に設定することができる。
【０１０４】
他の従属態様においては、このようなシステムは携帯物品を含み、前記検出器は情報フォーマットの変化を検出するように構成される。用語「情報フォーマット」は広義に解釈すべきであり、例えばＰＡＬ及び／又はＮＴＳＣなどの国際的なフォーマットの変化を含む。
【０１０５】
他の従属態様においては、前記システムは携帯物品を含み、前記検出器は言葉のような音響信号を検出し、該信号を記録媒体に記録された所定の信号と比較するように構成される。この特徴は、特定の場所からの出発と関連するキーワードを検出することによって本システムを自動的に開始させることが可能になるため、特に有利である。キーワードは、例えば乗り継ぎ、出発、到着、フライト、電車、タクシーなどとすることができる。
【０１０６】
他の従属態様においては、前記システムは携帯物品を含み、前記検出器は光検出器である。この構成は物品が詰め込まれたときこれを検出することができるため特に有利である。一従属態様においては、前記検出器は真っ暗闇又は閉じたスーツケース内部と関連する暗さレベル（物品が詰め込まれたことを示す）を検出するように構成することができる。光が検出される場合には、システムは警告信号をトリガして物品を詰め込むことをユーザに思い出させることができる。
【０１０７】
他の従属態様においては、前記システムは携帯物品を含み、前記検出器は圧力検出器である。この検出器は、物品が詰め込まれたことを検出可能にするために圧縮検出器の形を取ることができる。従って、これによりこのような状態では自動警告信号をスイッチオフすることができる。また、圧力しきい値に達しない場合には、物品は詰め込まれていないことになり、コントローラにより警告信号を鳴動させることができる。
【０１０８】
他の従属態様においては、本発明は、操作時に、警告信号を所定期間後に繰り返させるボタンを有する形態物品を含むシステムを提供する。これにより、ユーザはリマインダをしばらく後で繰り返すことをシステムに要求することが可能になる。
【０１０９】
他の従属態様においては、前記システムは、電動物品を含み、前記物品は前記物品をスイッチオン及び／又はオフするスイッチと前記物品がスイッチオンされない間警告信号発生手段を給電する手段とを備える。この構成はエネルギーバックアップの形を取り、システムがスイッチオフの場合でも警告信号を鳴らすことができる。
【０１１０】
他の従属態様においては、前記通信システムは携帯物品と、場所に応じて警告信号のタイミングを制御する命令を受信する受信手段と含む。これより、システムは、ユーザが特定のチェックアウト時間を有する特定のホテル内において、詰め込まれた物品を持ってチェックアウト時間に間に合うように最も適切な時点にユーザにリマインダを与えることができる。
【０１１１】
他の従属態様においては、本発明は旅行の具体的情報のデータベース及びチェックイン／アウト時間、連絡番号、エアラインコンファメーション番号、及び／又は他の任意の旅行者情報のアクセスを維持する手段を提供する。
【０１１２】
他の従属態様においては、前記システムは、ユーザのローミングが検出されるとネットワーク又はサテライトレベルで動作し、この場合にはネットワークは信号、例えばテキスト、音声又はメルチメディアメッセージを、システム自体で発生される適切なリマインダと一緒に送出する。
【０１１３】
他の従属態様においては、前記システムはネットワークを介して動作して、例えばラップトップコンピュータによりモバイル又は時計上のアラームを自動的に設定することができる。
【０１１４】
他の従属態様においては、前記システムと連動する任意の携帯物品はＰＣのような別のデバイスからのアラーム命令を受信する手段を含むことができる。
【０１１５】
他の従属態様においては、前記システムは携帯物品がスイッチオンされると、自動的に動作する。
【図面の簡単な説明】
【０１１６】
【図１】空気品質監視装置のコンポーネントを示すシステムブロック図である。
【図２】空気品質監視装置の機能を示す流れ図である。
【図３】データロギング手段を含む空気品質監視装置のコンポーネントを示すシステムブロック図である。
【図４】データロギング手段を含む空気品質監視装置の機能を示す流れ図である。
【図５】携帯デバイスに埋め込まれた空気品質監視装置のコンポーネントを示すシステムブロック図である。
【図６】携帯デバイスに埋め込まれた空気品質監視装置の機能を示す流れ図である。
【図７】携帯デバイスに埋め込まれた空気品質監視装置のコンポーネントを示す代替システムブロック図である。
【図８】選択可能なアラームメッセージを含む空気品質監視装置のコンポーネントを示すシステムブロック図である。
【図９】テレビジョンに埋め込まれた空気品質監視装置のコンポーネントを示すシステムブロック図である。
【図１０】テレビジョンに埋め込まれた空気品質監視装置の機能を示す流れ図をデータある。
【図１１】携帯電話に埋め込まれた空気品質監視装置のコンポーネントを示すシステムブロック図である。
【図１２】携帯電話に埋め込まれた空気品質監視装置のコンポーネントを示すシステムブロック図である。
【図１３】ハブネットワーク内に構成された空気品質監視装置のシステムブロック図である。
【図１４】旅行荷造り援助システムを含むマスタデバイス及び関連するスレーブデバイスを示すシステムブロック図である。
【図１５−１】旅行荷造り援助システムを含むマスタデバイスの機能を示す流れ図である。
【図１５−２】旅行荷造り援助システムを含むマスタデバイスの機能を示す流れ図である。
【図１６】旅行荷造り援助システムを含む関連するスレーブデバイスの機能を示す流れ図である。
【図１７】ローカル時間を監視することによりトリガされるデバイスのコンポーネントを示すシステムブロック図である。
【図１８】ローカル時間を監視することによりトリガされるデバイスの機能を示す流れ図である。
【図１９】その物理的位置を監視することによりトリガされるデバイスのコンポーネントを示すシステムブロック図である。
【図２０】その物理的位置を監視することによりトリガされるデバイスの機能を示す流れ図である。
【図２１】幹線電圧源を監視することによりトリガされるデバイスのコンポーネントを示すシステムブロック図である。
【図２２】幹線電圧源を監視することによりトリガされるデバイスの機能を示す流れ図である。
【図２３】マルチメディア内に埋め込まれた地域データを監視することによりトリガされるデバイスのコンポーネントを示すシステムブロック図である。
【図２４】マルチメディア内に埋め込まれた地域データを監視することによりトリガされるデバイスの機能を示す流れ図である。
【図２５】テキスト表現を監視することによりトリガされるデバイスのコンポーネントを示すシステムブロック図である。
【図２６】テキスト表現を監視することによりトリガされるデバイスの機能を示す流れ図である。
【図２７】その周囲環境を監視することによりトリガされるデバイスのコンポーネントを示すシステムブロック図である。
【図２８】その周囲環境を監視することによりトリガされるデバイスの機能を示す流れ図である。
【図２９】リマインダプロセス中にデバイスのユーザと通信するデバイスのコンポーネントを示すシステムブロック図である。
【図３０】関連するネットワーク素子と通信するデバイスのコンポーネントを示すシステムブロック図である。
【図３１】外部通信システムと通信するデバイスのコンポーネントを示すシステムブロック図である。
【発明を実施するための形態】
【０１１７】
図１は空気品質監視装置１のブロック図を示す。空気品質監視装置１は電源ユニット２、ＣＯ（一酸化炭素）検出器３及びマイクロコントローラ４を備える。
【０１１８】
電源ユニット２は幹線電圧源（英国における典型的な値は５０Ｈｚの２５０ボルトである）で給電され、監視装置１内のすべてのコンポーネントを給電するのに必要とされる安定なＤＣ出力電圧を発生する。他の実施例では、電源は電池又は電池群である。
【０１１９】
ＣＯ検出器３は、典型的には金属酸化物半導体センサである。金属酸化物半導体センサは絶縁セラミック基板上に二酸化錫の半導体ワイヤを含み、集積回路でモニタし得るセンサをもたらす。ＣＯ暴露により抵抗値が減少し、大きな電流が流れ、この電流が十分に大きければモニタ回路がアラームをトリガする。好適実施例では、センサはＣＯの存在を連続的に及び／又は規則的な狭い間隔で監視するように構成される。更に、他の好適実施例では、センサはＣＯの存在及びその量の両方を高度に線形的に監視するように構成される。センサは更に所定の暴露の有害レベルを評価し、前記所定の暴露において臨界有害レベルに到達するのに要する時間長を見積もる。従って、ユーザが所定の暴露レベル又は有害レベル指示に応答して環境を変える場合にはアラームレベルに到達することはない。それにもかかわらず、臨界暴露レベルに到達すれば、アラームメカニズムはトリガされる。
【０１２０】
一好適実施例では、検出器はセンサアレイである。
【０１２１】
他の好適実施例では、システムは単一センサである。
【０１２２】
本明細書に概説される機能に適応する金属酸化物半導体センサの一例はゲート金属酸化物センサであり、加熱を必要とせず、ＣＯに対して高い選択性及び感度を有する。更に、２ＰＰＭの信頼できるＣＯ検出下限を有し、−６０℃まで動作する。このセンサはウォームアップ時間を必要とせず、小型化され、極めて低い電力を消費する。このタイプのセンサは−６０℃から１８０℃の動作温度範囲、０から１０００ＰＰＭの検出範囲、５秒以下の応答時間及び±２ＰＰＭの精度を有する。応答は、ＣＯ測定値、危険レベル及び／又はユーザが身体的又は心血管系機能に対する障害、症状、身体的危害又は死亡結果を受けるレベルに到達する前に許容される暴露の時間長（「算定危険しきい値」）の表示に適合させることができる。  
【０１２３】
算定危険しきい値の計算は、詳細な説明セクションに任意の数の単一又は複数の気体／汚染物質の脅威と一緒に記載される任意の気体及び／又は汚染物資に対して同様に適合させ、提示することができ、算定危険しきい値はユーザの健康への影響又は生態学的環境への影響に関連する。例えば、デバイスに内蔵される二酸化炭素（ＣＯ２）センサは、ユーザの種々の活動によるＣＯ２の実際の平均又は推定放出（例えば推定カーボンフットプリント、車両詳細、ドライブ条件及び平均通勤時間）、推奨ＣＯ２許可量（目標カーボンフットプリント）、地域又は国際環境条件などに関連する追加の入力を見込んで、健康関連影響に加えて、検出ＣＯ２の環境への対応する影響を計算し表示する。この場合、カウントダウン及びアラームはユーザの炭素放出の割当量に関連し、提示される情報はユーザ活動の環境影響を相殺するための情報又は推奨とすることができる。
【０１２４】
センサは、小型であるために、多くの応用、例えば家庭用ガス警報装置、室内空気品質モニタ、職業線量計、携帯ガス検出器及びモニタ、変圧器故障検出器、飛行機及び自動車に組み込むのに適している。しかし、他のタイプのＣＯ検出器、例えば生物及び電気化学センサも考えられる。生物センサは、化学−光学又はゲルセルとしても知られ、ＣＯの存在下で黒くなり、ＣＯの量の減少に伴い又は不在により明るくなる合成ヘモグロビンの形で働く。このタイプのセンサは直接見ることができ、また光センサ又はアラームに接続することもできる。電気化学センサは燃料セルのタイプであり、電力を発生するように設計される代わりに、大気中のＣＯの量に精密に比例する電流を発声するように設計される。特に、電気化学センサは、容器、２つの電極、接続ワイヤ及び電解質（典型的には硫酸）からなるセルの形を取ることができる。ＣＯは一方の電極で酸化されて二酸化炭素になり、他方の電極で酸素が消費される。ＣＯ検出に対して、電気化学セルは、高い精度及びＣＯ濃度に対して線形出力を有し、室温で機能するので最小の電力を要し、約５年以上の長寿命を有する利点がある。殆どの電気化学センサは限定された温度範囲を有し、３０ＰＰＭ以下の信頼できる感度を示すことはない。更に、他の好適例では、センサは、単にアラームを鳴らすだけでなく、ＣＯの存在とその量の両方を監視するように構成することができる。更に、他の好適例では、センサはＣＯの存在とその量の両方を高度に線形に監視するように構成することができる。また、所定の暴露の危険レベルを評価し、前記所定の暴露における臨界危険レベルに到達するまでに要する時間長を算定する。それゆえ、ユーザが所定の暴露レベル又は危険レベルの指示に応答して環境を変化させれば、有害レベルに到達することはありえない。それでも臨界暴露レベルが破られる場合にはアラームメカニズムがトリガされる。
【０１２５】
一好適実施例では、検出器はセンサアレイである。
【０１２６】
一好適実施例では、システムは単一センサである。
【０１２７】
監視装置１の心臓部はマイクロコントローラであり、このマイクロコントローラは既知の種類のものとすることができ、本明細書に概説される機能に適応させる。これは、汎用マイクロプロセッサ（ＰＣに使用されている）に比較して、高集積度、低電力消費、自給性及び費用有効性であるマイクロプロセッサの派生物である。汎用マイクロプロセッサの演算素子に加えて、このマイクロコントローラは、模範的な実施例では、データ記憶用のリード／ライトメモリ、コード記憶用のリードオンリメモリ（例えばフラッシュ）、永久データ記憶用のＥＥＰＲＯＭ、周辺デバイス及び出力／出力インタフェース、の少なくとも一つ又はそれらの一つ一つを組み込む。数メガヘルツ（ＭＨｚ）又はそれ以下のような低いクロック速度では、マイクロコントローラは現在のマイクロプロセッサに比較して極めて遅い速度で動作するが、ＣＯ検出アプリケーションには適切である。これらのマイクロコントローラは比較的低い電力（ミリワット）を消費し、また何かを実行するためにマイクロコントローラをウェイクアップさせる例えばボタン押しのような関心周辺イベントを待つ間スリープさせることができる。スリープ中のマイクロコントローラの消費電力はナノワットにすることができ、低電力及び長持ちする電池アプリケーション用に理想的とすることができる。
【０１２８】
ボタンは、随意的に有利の例では、例えば携帯電話スクリーン又はタッチセンススクリーン又は選択ホイールの最上面に組み込まれているいわゆるソフトボタン又はソフトスイッチとすることができる。
【０１２９】
マイクロコントローラに組み込まれる他の機能は以下に想定される。
・ 中央処理装置（小型で簡単な４ビットプロセッサから複雑な３２又は６４ビット以上のプロセッサまで）；
・ ディスクリート入力及び出力ビットで、個別パッケージピンの論理状態の制御又は検出が可能；
・ シリアルポートのようなシリアル入力／出力（ＵＡＲＴ）；
・ 装置コンポーネントのシステム相互接続のためのＩ２Ｃのような他のシリアル通信インタフェース、シリアル周辺インタフェース及びコントローラエリアネットワーク；
・ タイマ、イベントカウンタ、パルスはバック・エンド・オブ・ライン変調（ＰＷＭ）及びウォッチドッグなどの周辺装置；
・ データ記憶用の揮発性メモリ（ＲＡＭ）；
・ プログラム及び動作パラメータ記憶用のＲＯＭ、ＥＰＲＯＭ又はフラッシュメモリ；
・ クロックジェネレータ（多くの場合石英タイミング結晶、共振器又はＲＣ回路を用いる発振器）；
・ アナログ−ディジタル変換器；
・ ディジタル−アナログ変換器；
・ インサーキットプログラミング及びデバギングサポート；
【０１３０】
マイクロコントローラは、個別のマイクロプロセッサ、メモリ及び入力／出力デバイスを用いる設計と比較して、サイズ、コスト及び電力消費の低減を促進する。本発明で想定するマイクロコントローラは、より多くのプロセスの電子的制御を経済的にすることができる。本発明の一実施例は、ＴＶ、モバイル、ＧＰＳユニット又は時計などの電子デバイスのマイクロプロセッサを選択し、そのキャパシティを本明細書で想定される種類の機能でＣＯ検出器の動作制御を達成するように適応及び／又は向上させることを想定している。
【０１３１】
マイクロコントローラ４は電源ユニット２で給電される。電源は監視システムが組み込まれるデバイスの電源とすることができる。例えば電池及び／又は太陽電池とし得るが、任意の他のタイプの電源も想定される。マイクロコントローラ４はＣＯ検出器３及びユーザインタフェース５にも結合される。ユーザインタフェース５は、典型的には監視装置１上のキーボード、データを選択するためのドロップダウンメニューを内蔵するメニュー駆動ディスプレイ又は監視装置１に遠隔接続されたリモートデバイスとすることができる。ユーザインタフェース５によってユーザは年齢６、体重７、性別８及び健康状態９などの個人的属性を監視装置１に入力することができる。これらの個人的属性及び／又は健康状態は次にマイクロコントローラのアプリケーションコードで処理され、このアプリケーションはユーザに対するＣＯ感度プロファイルを生成する機能ルーチンを内蔵する。マイクロプロセッサは監視が特定の個人に対する臨界危険状態に到達する速度を増大／減少する数学モデルを使用する。通常の監視モードでは、ディスプレイデバイスは、特定の個人について所定の暴露レベルにおけるアラームモードへの到達時間の予測を表示することができる。監視モードは指令をユーザに配布してユーザがＣＯ暴露を減すのを助けることができる。
【０１３２】
マイクロコントローラは監視装置のＣＯ検出感度をユーザプロファイルに従うように調整する。
【０１３３】
マイクロコントローラ４はクロックモジュール１０と３つ以上のタイマモジュール１１−１３を内蔵する。タイマモジュール１１−１３はクロックモジュール１０から発するクロックサイクルで駆動される。マイクロコントローラのアプリケーションコードにより発生されるＣＯ感度プロファイルは発生されるプロファイルに適切なタイマモジュールを選択する。ＣＯ感度プロファイルはユーザにより入力された個人データ６−９に基づく。
【０１３４】
マイクロコントローラのアプリケーションコードは、異なるカテゴリのユーザに有効なＣＯレベルしきい値を決定する機能ルーチンを含む。それゆえ、ユーザが自分のデータを入力し、マイクロコントローラ４が該ユーザに対するＣＯ感度プロファイルを生成すると、空気品質監視装置１は開始され、使える状態になる。監視装置１がユーザのＣＯ感度プロファイルに対して決定されたしきい値を超えるＣＯの存在を検出すると、マイクロコントローラ４は関連するタイマモジュールを当該カテゴリのＣＯ感度プロファイルに対して初期化する。マイクロコントローラ４は最初に安全暴露時間を表す時間値を有するカウンタを始動する。マイクロコントローラ４内のクロックからのクロックサイクルがこのタイマモジュールをトリガする。このカウントダウン期間中に、視覚警告メッセージがディスプレイデバイス１８に表示され、臨界暴露レベルに到達するまでの残り時間をユーザに警告する。クロック内の初期時間値が症状が出るレベルに到達するとき、表示は潜在的な危険を反映するように調整される。更にユーザに暴露を減少するように促す指令を供給することができる。
【０１３５】
更に、アラーム１７がマイクロコントローラ４内で初期化されると、システムはいわゆる「タイムアウト」状態で動作することができ、この場合には視覚警告メッセージをトリガしシステムデバイス１８に表示させ、ユーザのＣＯ感度プロファイルに対して今現在過剰ＣＯ暴露レベルであるから直ちにその場から避難するようにユーザに警告することができる。この動作モードは、センサがユーザの危険ラインの突破を検出するとき、自動的に生じるようにするのが好ましい。
【０１３６】
マイクロコントローラ４は、オプションとして、監視動作モード中又はアラーム動作モード中にユーザに警告する専用の可聴警告を発生する音響デバイス２０も内蔵することができる。アラーム動作モードにおいては、可聴警告は暴露場所から避難するよう促すことができる。
【０１３７】
ディスプレイデバイス１８はＣＯしきい値レベルが検出された場所から避難してユーザが危害受けないようにするのに要する臨界暴露／避難時間も示すのが好ましい。
【０１３８】
マイクロコントローラ４に組み込まれる機能しきい値ルーチンは、
・ ＞５０ｐｐｍ＝アラーム又は監視モード３；
・ ＞２５ｐｐｍ＝アラーム又は監視モード２；
・ ＞５ｐｐｍ＝アラーム又は監視モード１；
である。
【０１３９】
プロセッサは、濃度ＰＰＭ及び持続時間をカルボキシヘモグロビン（ＣＯＨｂ）に自動的に変換するように構成することもできる。これらのレベルはユーザタイプも考慮に入れて調整することができる。
【０１４０】
ユーザのＣＯ感度プロファイルが属するいくつかの典型的なユーザカテゴリを以下に記載する。
・ 子供、幼児及び胎児；
・ 貧血の人；
・ 心疾患又は肺疾患の人；
・ 高い代謝率（甲状腺機能亢進症のような所定の状態により生ずる）の人；これらの人は殆どのアラームのトリガを生じる通常の３０−５０ｐｐｍとは対照的に、５ｐｐｍのような低いしきい値に影響を受けやすい；
【０１４１】
ユーザカテゴリは、監視対象内に症状又は重大な身体的危害が生じるまでの適切な臨界暴露／避難時間を処理する際に不可欠である。マイクロコントローラ４は、ＣＯが検出された正確な時刻及び所定の期間に亘って検出された測定変化を記録することもでき、これは基本的な線量計機能と同じである。
【０１４２】
アラーム要件が監視要件に付加される。
ＥＮ５０２９１から取られる主なアラーム要件は次のとおりである。
・ ３０ｐｐｍ  ＣＯにおいては、アラームは少なくとも１２０分間起動してはならない；（監視用表示、指示及び作用はカウントダウンが表示される全期間中現れる）；
・ ５０ｐｐｍ  ＣＯにおいては、アラームは６０分まで起動してはならないが、９０分前に起動しなければならない；（監視用表示、指示及び作用はカウントダウンが表示される全期間中現れる）；
・ １００ｐｐｍ  ＣＯにおいては、アラームは１０分まで起動してはならないが、４０分前に起動しなければならない；（監視用表示、指示及び作用はカウントダウンが表示される全期間中現れる）；
・ ３００ｐｐｍ  ＣＯにおいては、アラームは３０分以内に起動しなければならない；（監視用表示、指示及び作用はカウントダウンが表示される全期間中現れる）；
【０１４３】
ディスプレイユニット１８は近くで測定されたＣＯをリアルタイムで示す。これは装置が正しく機能していることの視覚的確認を提供する。測定されたＣＯの表示に加えて、ユーザが症状又は危害を受けるまでの予測時間及びそのカウントダウンが表示される。オプションとして、装置上の試験ボタン２１は、センサコンポーネント自体ではなく、ディスプレイ回路のみを試験する。
【０１４４】
図２は図１に示す実施例に対する機能図を示す。
【０１４５】
図２のデバイスはパワーオンで空気品質モニタを起動することができる。
【０１４６】
個人属性を入力する代わりに、デバイスは記憶データを取り出すように又はデフォルトモードで動作するように構成することができる。
【０１４７】
適切なガスアラームしきい値ルーチンを呼び出す代わりに、デバイスは特定のプロファイルに対して適切な症状／危険パラメータを計算するように構成することができる。
【０１４８】
デバイスは下記の他の状況を検出又は考慮するように構成することもできる。
・ 活動レベル（激しい運動又は激しくない運動；睡眠など）；
・ 高度、湿度、温度、気圧；
・ 喫煙者／非喫煙者；
・ 他の気体／汚染物質；
・ 複数のカウントダウンモード；一つのモードは少なくとも安全暴露期間に対応し、第２のモードは非難期間に対応する；
・ リマインダ；例えば年間ボイラー検査；年間センサ校正；
【０１４９】
デバイスは症状／危険プロファイルを表示するように構成することができる。
【０１５０】
デバイスは更に検出されたＣＯを表示するように構成することができる。
【０１５１】
デバイスは更に予想される症状及び／又は危険暴露の時間を表示するように構成することができる。
【０１５２】
デバイスは更に上記の表示とユーザに注意を促すプロンプトを表示するように構成することができる。
【０１５３】
安全暴露時間が超過されると、第２の動作モードとして、デバイスはガスアラームルーチンを呼び出す。
【０１５４】
カウントダウンが超過される又は処理できない場合には、第２の動作モードとして、デバイスはガスアラームルーチンを呼び出す。
【０１５５】
他の実施例においては、監視デバイスに以下の特徴が存在する。
・ このデバイスはホストデバイス内に組み込まれる；
・ 健康状態入力は病状として容易化される。
・ 活動レベル（激しい運動か激しくない運動；睡眠など）；
・ 高度、湿度、温度、気圧；
・ 他の気体・汚染物質；
・ 複数のカウントダウンモード；一つのモードは少なくとも安全暴露期間に対応し、第２のモードは非難期間に対応する；
・ リマインダ；例えば年間ボイラー検査；年間センサ校正；
【０１５６】
図３は空気品質監視装置２２の代替実施例を示し、この監視装置はＣＯ検出器２３、マイクロプロセッサ２４及びディスプレイスクリーン２５を含む。監視装置２２はマイクロコントローラ２４内のクロックモジュール２６及びデータロガー２７も含む。データロガー２７はマイクロコントローラ２４の外部に位置することが示されている。線量計２８もマイクロコントローラ２４の外部に位置することが示されている。
【０１５７】
データロガー２７はデータオーバタイムを記録するコンポーネントである。それらは一般に小さく、データストレージ及びセンサを内蔵するマイクロプロセッサベースである。しかし、それらはマイクロコントローラ２４内に組み込まれる機能ブロックとして利用可能にすることもできる。データロガーは通常マイクロプロセッサとインタフェースし、収集データを分析するために専用のルーチンを用いてデータロガーを起動する。データはキーボード又はＬＣＤなどのユーザインタフェースデバイスにより分析することができる。データロガーは命令されるとデータを自動的に収集する。起動時に、データロガーは監視期間の間情報を測定し記録する。これは監視中の地域の総合的で精密な画像を発生する。
【０１５８】
線量計２８は所定の期間に亘るＣＯの総合暴露を測定するコンポーネントであり、特に長期間に亘りＣＯを監視する。これもマイクロプロセッサベースであるため、線量計はマイクロプロセッサ２４内に機能モジュールとして組み込むことができる。
【０１５９】
データロガー２７及び線量計２８はＣＯレベルを規則正しい時間間隔で（典型的には１０秒毎に）記録する。各ログエントリはＣＯ測定値及びタイムスタンプを含む。ＣＯレベルが適切なしきい値（例えば最小値／正常値以上）を超えるとき、関連するＣＯ監視／暴露／アラーム／避難アラームを開始させ、次の機能を初期化する。
・ 危険が検出された正確な時刻及び線量を記録する；
・ 任意の所定の期間に亘り測定された変化を記録する；
・ ＣＯ汚染の総合暴露（暴露レベル×持続時間）を計測する；これは基本的な線量計機能を提供し、所定期間のＣＯ量を示す；
【０１６０】
マイクロコントローラ２４はカレンダ機能ブロック２９を含み、これは監視ＣＯデータを後に読み出しマイクロプロセッサ２４で処理するために日時インデックスで記憶する。データロガー２７内のデータは後の処理及び送信のためにマイクロコントローラ２４により読み出すことができる。
【０１６１】
図４は図３に示す実施例に対する機能図を示す。
【０１６２】
「アラームルーチンを呼び出す」の代わりに、このデバイスはユーザに注意を促すように及び／又は安全暴露ルーチンを開始するように構成することができる。
【０１６３】
図５は空気品質監視装置３０の代替実施例を示し、本例は携帯機器に組み込まれた監視装置を含む。一代替実施例では、監視装置は固定の又は使用時に固定される機器及び／又はモバイルデバイスに組み込まれる。携帯機器はデイ／ナイトモード機能モジュール３３、ディスプレイデバイス３４、オーディオデバイス３５及びマイクロコントローラ３１により管理されるイネーブル／ディセーブル制御ライン３６も含む。制御ライン３６によりマイクロコントローラ３１は携帯デバイスのメイン機能３７をイネーブル／ディセーブルすることができる。マイクロコントローラ３１は無線通信インタフェース３８及び無線ローカルエリアネットワークインタフェース３９にも直接結合される。無線通信インタフェース３８は、追加のアラームユニット及び／又はアラームハブ／中継ユニットなどの周辺装置と無線通信を確立する。無線通信はパーソナルエリアネットワーク（ＰＡＮ）型又はＩＥＥＥ８０２．１１通信プロトコルとするのが好ましい。
【０１６４】
ＰＡＮネットワークは、近くのコンピュータデバイス（典型的には携帯電話及び携帯情報端末）間の通信に使用されるコンピュータベースネットワークである。ＰＡＮのブロードキャスト範囲は典型的には数メートルである。しかし、ＰＡＮはパーソナルデバイス自体の間の通信（イントラパーソナル通信）に使用でき、また高レベルネットワーク及びインターネットへの接続に使用できる。無線ＰＡＮネットワークはＩｒＤＡ、Ｂｌｕｅｔｏｏｔｈ（登録商標）、ＵＷＢ及びＺｉｇｂｅｅなどのネットワーク技術で可能になる。
【０１６５】
Ｂｌｕｅｔｏｏｔｈ（登録商標）  ＰＡＮネットワークはピコネットとしても知られており、８台のデバイスをマスタ−スレーブ関係に組み込むことができる。ピコネット上の第１のＢｌｕｅｔｏｏｔｈ（登録商標）デバイスはマスタであり、他のすべてのデバイスはマスタデバイスと通信するスレーブデバイスである。ピコネットは典型的には１０メートルのブロードキャスト範囲を有するが、理想的な環境の下ではこの範囲を１００メートルまで広げることができる。
【０１６６】
ＣＯセンサがプリセットされたアラームしきい値及び／又は監視しきい値を超えるレベルのＣＯの存在を検出すると、マイクロコントローラ３１はディセーブル／イネーブル制御ライン３６を活性化する。この活性化は携帯デバイスのメイン機能をインタラプトする。マイクロコントローラ３１は次に携帯デバイスのディスプレイ及びオーディオユニットの制御を行う。マイクロコンピュータ３１は次に夜か昼かを決定する。これは、内臓クロック及びカレンダルーチンから日時を計算するルーチンを呼び出すことによって、又は光を検出するフォトダイオードのような外部コンピュータを利用して決定することができる。日中動作中は、携帯ディスプレイデバイスは最高輝度レベルにセットされるとともに、急速に上昇するが同時にユーザをビックリさせたりショックを与えることなくユーザに気づかせることができるオーディオアラームを初期設定する。夜間動作中は、携帯ディスプレイデバイスは低い輝度レベルに設定されるとともに、ゆっくり上昇してユーザをビックリさせたりショックを与えることがない徐々のユーザ提示を与えるオーディオアラームを初期設定する。
【０１６７】
プリセットされたアラームしきい値の一つを超えるレベルのＣＯが検出されると、マイクロコントローラ３１は無線通信インタフェース３８を開始させる。マイクロコントローラ３１は次に無線通信インタフェース３８からアラーム信号をそのブロードキャスト範囲内の任意のリモートアラームユニット及び／又はハブ／中継器ユニット４０へ送信する。従って、携帯デバイスはブロードキャストハブによりカバーされるエリア内で使用でき、携帯デバイスはＣＯの存在を検出すると、範囲内の任意のリモートアラームをトリガする。
【０１６８】
マイクロコントローラ３１はローカル又はワイドエリアネットワーク無線インタフェース３９も開始させる。マイクロコントローラは次にローカル又はワイドエリアネットワーク無線インタフェース３９からアラーム信号をブロードキャスト範囲内の無線ルータにブロードキャストする。従って、アラーム情報及び任意のログデータをその後の検索及び分析のためにインターネット又はネットワーク４１上で専用ウェブページ又はｅメールアカウントにアップロードすることができる。あるいは、アラーム起動が検出されたとき、ウェブベースカメラ（ウェブカメラ）をイネーブルして事故現場からビジュアルデータをストリームさせ、第３者が遠隔地から安全に状況を監視できるようにすることもできる。
【０１６９】
この空気品質監視装置を組み込むことができる典型的な携帯デバイスは以下のとおりである。
・ 携帯時計
・ 携帯情報端末（ＰＤＡ）
・ 全地球測位システム（ＧＰＳ）
・ Ｔｏｒｃｈｅ
・ 救急隊員用救命器
・ 医療関係者用医療機器
・ ベビーモニタ
・ 気圧計
・ 温度計
・ ドアチャイム及び／又はドアベルシステム
・ 火災警報システム
・ 浸入防止システム
・ 口述録音機
・ 診断ツール又は装置
・ アタックアラーム
・ 電動工具
・ 旅行用アイロンなどの旅行用具
・ 計算機
・ ボイラー
・ バイク
・ パーソナルステレオ及びＭＰ３プレーヤなどのパーソナルエンターテイメント装置
・ アラームが起動されるとｗｅｂｃａｍ又は監視偵察システムを起動し、周囲の状況の視覚的ログを取ることができるようにすることによって、携帯装置を更に強化することができる。
【０１７０】
図６は図５に示す実施例に対する機能図を示す。
【０１７１】
図６のデバイスは、個人データの入力を許可し、前記個人データに基づいてＣＯ監視のための安全しきい値予測するように構成することができる。症状及び危害が現れるまでの監視時間のカウントダウンも想定される。
【０１７２】
図７は空気品質監視装置４２の代替実施例を示す。この実施例は２つのリモートセンサユニット４３及び４４を含む。両ユニットは同一であり、ＣＯ検出器又はセンサ４５、状態インジケータ４６、アラームモジュール４７、マイクロコントローラ４８、無線通信インタフェース４９及び局部電源５０を含む。無線通信リンク６７はリモートユニット１−４３と携帯デバイス５２内に組み込まれたハブユニット５１との間の通信チャネルを示す。無線通信リンク６８はリモートユニット２−４４と携帯デバイス５２内に組み込まれたハブユニット５１との間の通信チャネルを示す。
【０１７３】
リモートセンサユニット４３及び／又は４４の一つがＣＯの存在を検出すると、マイクロコントローラ４８がアラームモジュール４７を起動する。このとき、アラームモジュール４７は状態インジケータ４６を駆動する。状態スインジケータは監視装置４２の外部に装着された緑色及び赤色インジケータを備える。緑色インジケータはＣＯガスが存在しない場合に「ＯＫ」状態を表すことができ、赤色インジケータはＣＯガスが検出され存在する場合に「非ＯＫ」状態を表すことができる。これらのインジケータは、ＣＯ放出源を調べる際に、トリガされたアラームの視覚的確認を与えることもできる。このとき、マイクロコントローラ４８はリモートセンサユニットのアラーム状態を規則的時間間隔で無線通信インタフェース４９からハブユニット５１へ送信することができる。
【０１７４】
この実施例においては、ハブユニット５１は、図５で述べて携帯デバイスと同様に、携帯デバイス５２内に組み込まれる。ハブユニット５１は、無線通信インタフェース５３、コントローラ５４、通信インタフェース５５、アラームモジュール５６及びスピーチシンセサイザ５７を含む。ハブユニットの無線通信インタフェース５３を介してリモートセンサユニットのアラーム状態を受信すると、アラームデータが抽出され、マイクロコントローラ５４に通信される。マイクロコントローラは次にアラームモジュール５６及びスピーチシンセサイザモジュール５７を起動する。処理されたアラームメッセージはアラームモジュール５６に記憶される。マイクロコントローラ５４はこのデータを利用して装置のアラーム状態を監視する。マイクロコントローラ５４は警告データをスピーチシンセサイザモジュール５７に送る。このデータはオーディオ音声メッセージを表し、これが次に内部通信インタフェース６０に通信される。通信インタフェース６０は内部ハブを携帯デバイスの回路に接続し、よって警告データを携帯デバイス５２内の他の非ハブユニットコンポーネントに送ることができる。警告データは携帯デバイスのコントローラ６１に伝達される。このデバイスのコントローラ６１は次に警告メッセージをオーディオドライバモジュール５８に送る。次にオーディオドライバはディジタルオーディオデバイスを駆動するためにデータを再処理することができ、またオーディオデバイスが慣例のアナログスピーカの場合には、警告データをディジタル−アナログ変換器（ＤＡＣ）によりアナログ信号に変換することができる。オーディオドライバモジュール５８は次にオーディオ音声メッセージをオーディオデバイス５９に伝達し、オーディオデバイス５９は警告メッセージをユーザにブロードキャストする。ハブユニットのマイクロコントローラ５４は携帯デバイスのコントローラ６１を規則的な時間間隔（典型的には１０秒間隔）でインタラプトしてアラームデータを携帯デバイスのロガー６２に送る。アラームデータはアラームのタイムスタンプ及び他のアラーム属性を含む。データロガー６２に記憶されたデータは監視装置４２の外部に装着された入力／出力ポート（Ｉ／Ｏポート）６３を介して取り出すことができる。Ｉ／Ｏポートは典型的にはユニバーサルシリアルバスポート（ＵＳＢ）とすることができる。アラームデータはローカルエリアネットワーク無線インタフェース６４にも送られる。無線インタフェース６４のブロードキャスト範囲内の無線ルータによるインターネット６３ａへの接続は、リモートアクセス、後の検索及びリモート監視のために、データログを専用のウェブページ／ｅメールアカウントへアップロードすることができる。
【０１７５】
ハブユニットのマイクロコントローラ５４は携帯ユニットのディスプレイデバイス６５及び振動デバイス６６に間接的に結合される。振動デバイスは典型的には監視デバイス４２の外部ケースに連結される。それゆえ、ハブユニットのマイクロコントローラ５４がＣＯアラームイベントを処理するとき、このコントローラは携帯ユニットのディスプレイデバイス６５に視覚的な警告信号を表示するデータを携帯デバイスのコントローラ６１を介して送る。また、ハブユニットのマイクロコントローラ５４は携帯ユニットのディスプレイデバイス６５に視覚的警告信号を表示するデータをディスプレイデバイスデコーダに送り、このデコーダでこのデータを視覚警告信号に変換し、この警告信号をディスプレイデバイス６５に送ることもできる。視覚及び／又は音声メッセージはユーザに、直ちにその場から避難するよう知らせるが、何らかの理由で警告メッセージが見えないもしくは聞こえない場合でも、携帯デバイスをその人が所持していれば、振動装置６６により追加の警告が通信しようとしているその人に与えられる。それゆえ、携帯デバイス上にあるディスプレイ及び／又はオーディオデバイスに注意を向けさせることができる。
【０１７６】
この実施例を実装する典型的な携帯デバイスは以下のとおりである。
・ ドアチャイム
・ 時計及び／又はラジオ
・ ＰＤＡ
・ ＧＰＳ
・ ボイラー
・ 温度計
・ 口述録音機
・ 運搬装置
・ パーソナルステレオ及びＭＰ３プレーヤなどのパーソナルエンターテイメント装置
【０１７７】
図８は空気品質監視装置６９の代替実施例を示す。この実施例では、ＣＯ検出器７０がＣＯガスの存在を検出すると、マイクロコントローラ７１が可聴警告メッセージを生成し、オーディオデバイス７３によりユーザに伝達される。可聴警告メッセージはルーチン７４−７７としてマイクロコントローラ７１内に格納される。各警告はユーザのカテゴリ別に専用である。アラームイベント中、マイクロコントローラ７１はユーザのカテゴリに対して関連するメッセージルーチンを呼び出す。ユーザのカテゴリは図１に示すようにユーザの個人属性を入力することにより決定される。図において、メッセージルーチン１（７４）の「５分以内に避難しなさい」は、低いＣＯ汚染のエリアからの安全な時間内の避難を目的としている。メッセージルーチン２（７５）の「幼児危険レベルに到達しました」は、ＣＯレベルが幼児に対して危険なレベルに到達した場合に使用することを目的にている。メッセージルーチン３（７６）の「お母さん／お父さんを起こしに行きなさい」又は「お母さん／お父さんを起こし、９１１に助けの電話をしなさい」は、アラーム時にお母さん及び／又はお父さんを起こすように指示する、幼児にわかりやすいメッセージを伝えること目的としている。メッセージルーチン４（７７）の「直ぐに避難しなさい」はＣＯレベルが直ぐに危険レベルになる場合に使用することを目的としている。
【０１７８】
図９は空気品質監視装置７８の代替実施例を示す。この実施例はテレビジョンユニット又はコンピュータスクリーンなどのビジュアルデバイスに組み込まれる監視装置７８を示す。ＣＯ検出器７９はマイクロコントローラ８０に結合される。マイクロコントローラ８０はイネーブル／ディセーブル制御ライン８２を経てディジタルチューナ８１に結合される。ディジタルチューナ８１はビデオデコーダ８３に結合される。マイクロコントローラ８０はイネーブル／ディセーブル制御ライン８２を経てビデオデコーダ８３に結合される。ビデオデコーダ８３はディスプレイデバイス８４に結合される。マイクロコントローラ８０はデータ結合８５及びイネーブル／ディセーブル制御ライン８６を経てオーディオデコーダ８７に結合される。オーディオデコーダ８７はディジタル−アナログ変換器（ＤＡＣ）８８に結合される。ＤＡＣ８８はオーディオデコーダ８７の外部コントローラとして示されている。しかし、ＤＡＣ８８はオーディオデコーダ８７内の機能モジュールとして組み込むことができる。ＤＡＣ８８はオーディオドライバ８９に結合され、該ドライバはオーディオデバイス９０を駆動する。マイクロコントローラ８０はローカルエリアネットワーク９１に結合される。マイクロコントローラ８０は無線ネットワークインタフェース９２にも結合される。試験ボタン９３がマイクロコントローラ８０に結合される。
【０１７９】
ディジタルチューナ８１は、テレビジョン又はコンピュータ（チューナカードが取り付けられていれば）が放送波、衛星又はケーブル送信信号を受信できるようにするコンポーネントである。信号は次にビデオデコーダが処理し表示できる信号に変換される。ディジタルチューナ８１はディジタルラジオ局にチューニングするためにディジタルラジオユニット内で使用することもできる。
【０１８０】
オーディオデコーダ８７は、ディジタルオーディオデータをオーディオファイルフォーマット又はオーディオストリーミングフォーマットに従って圧縮／圧縮解除するコンポーネントである。このコンポーネントは、「コーダ−デコーダ」機能の組み合わせのためにオーディオＣＯＤＥＣとしても知られている。オーディオデコーダはオーディオ信号を品質を維持しながら最少数のビットで表すアルゴリズムを利用する。これにより記憶スペースが減少するとともに記憶オーディオファイルの通信に必要とされる帯域幅が減少する。
【０１８１】
ＤＡＣ８８は、ディジタルオーディオデータ（２進符号フォーマット）をアナログ信号（慣例の電流、電圧又は電荷を有する）に変換するコンポーネントである。オーディオメッセージを表すアナログ信号はオーディオドライバ８９を経てオーディオデバイス９０に伝達される。
【０１８２】
ビデオデコーダ８３は、ディジタルビデオを圧縮／圧縮解除するコンポーネントである。圧縮機能は不可逆データ圧縮技術を用いる。この「不可逆」は変換プロセス中のディジタルデータ損失による画質の低下に関連する。このコンポーネントは、「コーダ−デコーダ」機能の組み合わせのため、ビデオＣＯＤＥＣとしても知られている。ビデオデコーダはビデオ信号を品質を維持しながら最少数のビットで表すアルゴリズムを用いる。これにより記憶スペースが減少するとともに記憶ビジュアルイメージファイルの通信に必要とされる帯域幅が減少する。ビジュアルメッセージを表す複合ディジタルビデオがディスプレイデバイス８４に送られる。
【０１８３】
この実施例は、ＣＯ検出器がＣＯガスの存在を検出すると、マイクロコントローラ８０はユーザにＣＯガスの存在を警告する可聴及び視覚警告の両方を発生することを示す。マイクロコントローラ８０は、イネーブル／ディセーブル制御ライン８２を活性化してディジタルチューナ８１をディセーブルするルーチンを呼び出す。ディジタルチューナ８１のディセーブル化はユーザの注意をアラームメッセージからそらすすべてのエンターテイメントチャネル（テレビジョン及び／又はラジオ）を遮断する。また、イネーブル／ディセーブル制御ライン８２を活性化することによって、マイクロコントローラ８０はビデオデコーダ８３をイネーブルする。マイクロコントローラ８０はビデオディジタルデータをデータ結合９４を介してビデオデコーダ８０に送る。ビデオディジタルデータはディスプレイデバイス８４とコンパチブルなディジタルフォーマットに変換される。ディスプレイデバイスはディジタル型とするのが好ましく、この場合には復号されたビデオデータをビデオデコーダ８３からディスプレイデバイスに直接供給することができる。復号されたビデオデータはユーザにＣＯガスの存在を知らせるためにディスプレイデバイスに表示すべきアラームメッセージを表す。
【０１８４】
マイクロコントローラ８０がディジタルチューナ８１をディセーブルするとき、マイクロコントローラ８０はイネーブル／ディセーブル制御ライン８２を活性化してオーディオデコーダ８７をイネーブルする。マイクロコントローラ８０はオーディオディジタルデータをデータ結合８５を介してオーディオデコーダ８７に送る。オーディオディジタルデータはＤＡＣ８８とコンパチブルなディジタルフォーマットに変換される。オーディオディジタルデータは次にオーディオアラームメッセージを表すアナログ信号に変換される。オーディオアナログアラームメッセージはアナログオーディオデバイス９０を駆動するには十分でない。そのため、アナログオーディオアラームメッセージはオーディオドライバコンポーネント８９によりオーディオデバイス９０を駆動するのに十分なレベルにブースト／増幅される。アナログオーディオアラームメッセージはユーザにＣＯガスの存在を知らせるアナログメッセージを表す。
【０１８５】
それゆえ、ＣＯガスの存在が検出されると、マイクロコントローラ８０はアラームイベントデータを記録するとともにローカルエリアネットワーク無線インタフェース９１を介してインターネット９５にアップロードする。アラームデータはその後の分析のための観察及び検索のために専用のウェブサイト又は制御センタにアップロードされる。マイクロコントローラ８０はアラームイベントを無線ネットワークインタフェース９２を経て送信する。アラームイベントは他のリモートアラームユニット及び／又はアラームハブ／中継器９６に送信される。無線ネットワークインタフェースは典型的にはＢｌｕｅｔｏｏｔｈ（登録商標）又はＩＥＥＥ８０２．１１通信プロトコルを使用する。それゆえ、テレビジョン／コンピュータスクリーンに組み込まれた空気品質監視装置７８を任意のリモートＣＯアラームユニット及び／又はリモートアラームハブ／中継器９６と相互作用させてアラームシステムをトリガし、ＣＯガスの存在をユーザに知らせることができる。
【０１８６】
この実施例を実装する典型的なビデオ−オーディオデバイスは以下のとおりである。
・ テレビジョン
・ ラップトップ
・ パーソナルコンピュータ（ＰＣ）及びＰＣモニタスクリーン
・ ゲームデバイス
・ パーソナルステレオ及びＭＰ３プレーヤなどのパーソナルエンターテイメントユニット
【０１８７】
オプションとして、試験ボタン９３は、押されたとき、マイクロコントローラ８０及び関連する回路を試験するが、ＣＯ検出器自体は試験しない。ホストオーディオデバイスがパワーダウン状態のときに空気品質監視装置の機能を維持するために、電源ユニット９４は電池バックアップ機能モジュールを内蔵することが示されている。
【０１８８】
図１０は図９に示す実施例に対する機能図を示す。代案として、図１０のデバイスは下記の動作ステップを含むように構成することもできる。
・ ＯＮ／起動
・ デフォルトＣＯ感度プロファイル
・ ユーザ固有の感度プロファイル（上述の例参照）
・ 計算：a)症状；b)危険ライン及び／又はしきい値
・ 正常値を越えるＣＯを検出したか？
・ 安全暴露時間の予測／カウントダウン
・ 近づく安全暴露時間（１５−３０分）
・ デバイスインタラプト／オーディオ／ビデオアラーム／リモート監視／アラーム／機器スイッチオフを有する従来のアラームシーケンスの開始；
【０１８９】
図１１は、空気品質監視装置９７の代替実施例を示す。この実施例は携帯電話又は任意の他の通信デバイスに組み込まれた監視装置９７を示す。マイクロコントローラ９８は携帯電話のメインプロセッサ１１１に結合される。携帯電話のメインマイクロプロセッサ１１１はディスプレイデバイス１０２、オーディオマイクロプロセッサ９９、振動デバイス１００、無線周波数（ＲＦ）インタフェース１０３、ローカルエリアネットワーク無線インタフェース１０４及び無線通信インタフェース１０１に結合される。オーディオマイクロプロセッサ９９はアナログインタフェース１０６に結合される。アナログインタフェース１０６は次にスピーカ又はマイクロフォンのようなオーディオデバイスに結合される。
【０１９０】
振動デバイス１００は、アラームイベントを感触で送る手段を提供するコンポーネントである。振動アラームの使用は主に、ユーザがオーディオアラームを聞くことができないとき又はユーザがアラームイベントのもう少し控えめな通知を要求するときである。振動デバイス１００は典型的には偏心（不平衡）重りに結合された小型の電気モータを備える。振動デバイス１００は聴覚障害者に有用である。
【０１９１】
この実施例は、ＣＯ検出器１０５がＣＯガスの存在を検出すると、マイクロプロセッサ９８がインタラプト制御ライン１０９を活性化して携帯電話のメインプロセッサの通常動作を中断させるルーチンを呼び出すことを示す。マイクロコントローラ９８は次にアラームデータをデータ結合１１０を介して携帯電話のメインプロセッサ１１１に送る。マイクロコントローラ９８は次に携帯電話のメインプロセッサ１１１の制御を引き継ぎ、ディスプレイデバイス１０２、振動デバイス１００、ローカルエリアネットワーク無線インタフェース１０４、ＲＦインタフェース１０３、オーディオマイクロプロセッサ９９及び無線通信インタフェース１０１へのアラームデータの処理を監視する。ディスプレイデバイス１０２へのアラームデータはユーザに表示すべきアラーム警告を表わす。オーディオマイクロプロセッサ９９はアラームデータをアナログ形態に変換し、オーディオドライバインタフェース１０６に送る。オーディオドライバインタフェース１０６はアナログアラームをブースト又は増幅して携帯電話のスピーカ１０７を駆動可能にする。マイクロプロセッサ９８はアラームイベント時に振動デバイス１００を起動し、注意を要することをユーザに知らせる。ＲＦインタフェース１０３は、アラームデータをショートメッセージサービス（ＳＭＳ）フォーマットに変換し、モバイルネットワーク１１５を経て専用番号に送り、リモートユーザにアラームイベントが生じたことを知らせる。ＳＭＳはアラームデータをその後の検索および分析のためにリモート記憶することもできる。携帯電話のメインプロセッサ１１１は、機能データ、ユーザに送信されたアラーム及びテキストメッセージのすべてをディスプレイユニット１０２に表示する。ローカルエリアネットワーク無線インタフェース１０４は携帯電話のメインプロセッサ１１１を介してマイクロコントローラ９８をインターネット１１６にアクセスさせることができる。アラームデータはリモート監視、リモート記憶及び／又はその後の分析のために専用ウェブページ／ｅメールアドレスにアップロードされる。無線通信インターネット１０１は、マイクロコントローラ９８を、携帯電話のメインプロセッサ１１１を介してリモートアラームユニット及び／又はアラームハブ中継器１１７と通信するように設定することができる。アラームデータはリモートアラームユニット及び／又はアラームハブ中継器１１７に送信される。無線ネットワークインターネットは典型的にはＢｌｕｅｔｏｏｔｈ（登録商標）又はＩＥＥＥ８０２．１１プロトコルである。それゆえ、携帯電話又はページャデバイスに組み込まれた空気品質監視装置９７をリモートアラームユニット及び／又はリモートアラームハブ／中継器１１７と相互作用させてアラームシステムをトリガし、ＣＯガスの存在をユーザに知らせることができる。
【０１９２】
ＣＯ検出器１０５が携帯電話の近くでＣＯガスを検出すると、マイクロコントローラ９８は内部監視モジュール１１８を起動し、携帯電話のメインプロセッサ１１１とオーディオマイクロプロセッサ１１２の両方をインタラプトする。インタラプトが起動されると、携帯電話のメインプロセッサ１１１とオーディオマイクロプロセッサ１１２の両方がマイクロコントローラ９８により管理される。マイクロコントローラ９８は警告をユーザに表示及び鳴動させ、振動デバイスをユーザへの追加の知覚アラームとして起動する。アラームイベント時に、アラームデータが無線通信インタフェース１０１を介してインタフェース１０１のブロードキャスト範囲内のイネーブル周辺装置に送信される。アラームイベント時に、マイクロコントローラ９８は記憶／緊急番号を呼び出し、モバイルネットワーク１１５を介して、自動ＳＭＳメッセージ及び／又は音声メッセージでユーザにアラームイベントを知らせることもできる。マイクロコントローラ９８は警告メッセージをリモートウェブページに送り、その後のデータ検索及び分析のためにデータをログし記憶することもできる。従って、第３者がリモートウェブカメラを起動しビデオデータをストリームさせて状況をリモート監視することができる。
【０１９３】
この実施例を実装する典型的な通信デバイスは以下の通りである。
・ 緊急無線送信機（ＴＥＴＲＡコンパチブル）
・ 携帯電話
・ 携帯情報端末（ＰＤＡ）
・ 全地球測位システム（ＧＰＳ）
【０１９４】
空気品質監視装置９７は携帯電話のメインマイクロコントローラ９８内に組み込むことができ、よって別個の品質監視装置コンポーネントの必要性がなくなる。
【０１９５】
図１２は図１１に示す実施例に対する機能図を示す。
【０１９６】
代案として、図１２の実施例においては下記の動作ステップも想定される。
・ ＯＮ／起動
・ デフォルトＣＯ感度プロファイル
・ ユーザ固有の感度プロファイル（上述の例参照）
・ 計算：a)症状；b)危険ライン及び／又はしきい値
・ 正常値を越えるＣＯを検出したか？
・ 安全暴露時間の予測／カウントダウン
・ 近づく安全暴露時間（１５−３０分）
・ デバイスインタラプト／オーディオ／ビデオアラーム／リモート監視／アラーム／機器スイッチオフを有する従来のアラームシーケンスの開始；
【０１９７】
図１３は空気品質監視システム１１８内に実装された複数の空気品質監視装置１１９〜１２２を示す。監視システム１１８は中央ハブユニット１２３を中心に構成される。ハブユニット１２３は監視システム１１８に公衆電話ネットワーク１２４へのインタフェースを提供し、これはアラームイベントデータをその後の検索及び更なる分析オン／オフのためのリモートサイトに送信し、カメラ、監視装置などのリモート監視手段をイネーブルするためである。ハブユニット１２３はインターネット３１へのインタフェースを提供し、これはアラームイベントをその後の検索及び更なる解析のための専用のウェブページにアップロードし、ウェブカメラのような監視手段をイネーブルするためである。ハブユニット１２３は、典型的にはＢｌｕｅｔｏｏｔｈ(登録商標)又はＩＥＥＥ８０２．１１である無線リンクを介してリモート監視装置１１９〜１２２と双方向通信接続される。ハブユニット１２３は中継器ユニット１２５と双方向通信接続され、これによりリモート監視装置１２１及び１２２をハブユニット１２３のブロードキャスト範囲を超えて位置させることができる。リモート監視装置１２１及び１２２はオーディオデバイス１２５及び１２６を備える。ハブユニット１２３は、テレビジョン１２７、ラジオ１２８、コンピュータ／ラップトップコンピュータ１２９及び携帯電話１３０などの複数のホスト機器に埋め込まれた空気品質監視回路と双方向通信接続される。ハブユニットはオーディオデバイス１３２を組み込む。
【０１９８】
監視システム１１８がある空気品質監視装置の近接地域内でＣＯの存在を検出すると、アラームイベントメッセージがリモート監視装置１１９−１２６に送信される。ハブユニット１２３のブロードキャスト範囲を超えるリモート監視装置１２１及び１２２との通信は中継器ユニット１２５により維持される。ユーザへのオーディオ警告メッセージはすべてのオーディオデバイス１２５，１２６及び１３２からブロードキャストされる。ユーザへのビデオ警告メッセージはリモート監視装置１１９−１２６およびハブユニット１２３上のディスプレイユニットからユーザに表示される。リモート監視装置はどのリモート監視装置１１９−１２６がＣＯガスの存在を検出したかを指示するために典型的には赤色の単色カラーインジケータを組み込むことができる。送信アラームイベントデータはテレビジョンのスクリーン１３３及びスピーカによるユーザへのビデオ及び／又はオーディオ警告メッセージをトリガする。送信アラームイベントデータはラジオスピーカ１３４によるユーザへのオーディオ警告メッセージをトリガする。送信アラームイベントデータはコンピュータのスクリーン１３５及びスピーカによるユーザへのビデオ及び／又はオーディオ警告メッセージをトリガする。送信アラームイベントデータは携帯電話のスクリーン１３７及びスピーカ１３６によるユーザへのビデオ及び／又はオーディオ警告メッセージをトリガする。
【０１９９】
監視システム１１８は、ハブユニットからの専用アラームイベントメッセージにより所定のゾーン内のリモート監視装置を起動させるアラームゾーン機能を組み込むことができ、これにより他の検出ゾーン内の他のユーザは起動されたゾーンから何の妨害も受けることなく機能することができる。
【０２００】
本発明の他の実施例においては以下の動作ステップが予想される。
・ ＯＮ／起動
・ デフォルトＣＯ感度プロファイル
・ ユーザ固有の感度プロファイル（上述の例参照）
・ 計算：a)症状；b)危険ライン及び／又はしきい値
・ 正常値を越えるＣＯを検出したか？
・ 安全暴露時間の予測／カウントダウン
・ 近づく安全暴露時間（１５−３０分）
・ デバイスインタラプト／オーディオ／ビデオアラーム／リモート監視／アラーム／機器スイッチオフを有する従来のアラームシーケンスの開始；
【０２０１】
以下の実施例が想定される。
【０２０２】
集積化検出器
携帯デバイス内への空気品質監視ユーザの組み込みは少なくとも以下の利点を有する。
・ 携帯性、実用性（特に旅行時計機能部に組み込まれたとき）及び利用性により有用性が増大する；
・ 検出範囲をより小さくすることができ、アラーム応答も典型的には８５デシベルより小さくすることができるため、寝ている家族に隣接して置くことができる；
・ アラームモードは上昇音量モードが好ましい；
・ 電池寿命の節約のために危険性が低い期間、例えば監視装置がスーツケースに詰められている間又は日中の間、検出器をスイッチ可能にできるように起動器を装置上に設けて装置をスイッチオン及びオフすることができる；
・ 旅行地の時計販売店で販売することができる；これらの時計販売店の数は慣例の検出器（旅行必需品ではなく大部分はＤＩＹ（日曜大工）又はホームセンタープロダクツとみなされている）の販売店よりもはるかに多い；
【０２０３】
空気品質監視装置は、二酸化炭素、一酸化炭素、煙、メタン、粒状物汚染、地表オゾン、硫黄酸化物、窒素酸化物、鉛、炭化水素、ガソリン蒸気、アンモニア、水素／アセチレン、塩素、エチレンオキシド、水素、塩化水素、シアン化水素、硫化水素、酸素、オゾン、二酸化硫黄、可燃性ガス、有毒ガス及び任意の汚染物質からなる群から選ばれる化合物の一つ以上の存在を検出しうるセンサを内蔵する。
【０２０４】
空気品質監視装置は携帯／モバイルデバイスの一部分と一体にするのが有利である。空気品質監視装置は、旅行用時計、携帯電話、携帯情報端末（ＰＤＡ）、衛星ナビゲーションシステム、トーチ（消防士や救命士が使用するも）、携帯呼吸／医療装置（例えば呼吸器など）、ベビーモニタ、気圧計、温度計、ドアベルチャイム、口述録音器、診断ツール、アタックアラーム、電動工具、旅行用アイロン及び計算機からなる群から選らばれる物品の少なくとも一つの一部分と一体にするのが有利である。
【０２０５】
固定のデバイスへの組み込み
空気品質監視装置は、家、オフィス、移動住宅、別荘、乗り物、バイク、ボート、車、トレーラハウス、トラック、カーラジオ／情報ディスプレイシステム内の時計、気圧計、温度計、ドアベルチャイムからなる群から選らばれる物品に組み込む場合に特に有利である。本発明は、空気品質監視装置が道路を走行する車両内に組み込まれ、センサが現代の道路に存在する一酸化炭素、スモッグ又は他の汚染物質に対する暴露を検出するように選択される場合に特に有利である。バイクに検出した空気品質の値を表示する一酸化炭素／スモッグ監視装置を組み込むと特に有利である。飛行機システムにも、その情報ディスプレイの一部分として、一酸化炭素、スモッグ又は他の汚染物質の暴露のディスプレイを組み込むと特に有利である。
【０２０６】
空気品質監視装置は従来のＣＯ検出器内に、その検出器機能を高めるために組み込むこともできる。空気品質監視装置はガスの存在を記録し、ログし、ユーザに警告する手段を提供するホームセキュリティシステム内に組み込むこともできる。
【０２０７】
固定のデバイス内に空気品質監視装置を組み込む利点は少なくとも以下の通りである。
・ 例えばキッチン、玄関、ベッドルーム、子供室、オフィス、ホテル客室などの重要位置に取り付け可能；
・ 危険情報を都合の良いレベルでユーザに提示可能；
【０２０８】
一般的な利点
空気に暴露されるセンサと、装置を起動する起動器と、コントローラと、前記センサからの検出空気品質を表わす信号を前記コントローラに送る通信チャネルと、前記センサから受信された信号に応じて前記コントローラによりトリガされるアラームとを具える当該空気品質監視装置は下記の利点を有する。
【０２０９】
・ 必ずしも壁に取り付ける必要や幹線電源に接続する必要がないことによる検出ユニットの選択肢の全体的な増大；
・ 装置とのユーザ対話性及び親しみやすさの増大、例えば時計に組み込まれたとき、ユーザは時間及び検出された空気品質値を絶えず見るため、臨界しきい値到達前にユーザからの迅速な応答がもたらされる；
・ 個人装置として配置されたとき、正しい使用、適切且つ定期的な試験及び手入れの信頼が大きくなるため、より安全である；
・ 空気品質監視装置は必要に応じ許容レベルの空気品質のためインジケータ及び非許容レベルのためにインジケータの両方を組み組む；
・ 一酸化炭素検出器又は他の類似の危険検出器は、時刻を告げる手段、アラームの鳴動を制御する手段、動作モードの変化を許可する手段、カレンダ、オーガナイザ及びリマインダシステムを組み込む（例えば年間ボイラー整備又は他の活動を管理する）手段を備える；
・ プロセッサ又はコントローラは次の試験のための日時を設定する前に試験の日時を記録する手段を備える；
・ インテリジェントな測定応答を促進する。これは、空気品質監視に組み込まれる一酸化炭素センサとの関連で特に重要である。その理由は、煙と違って、一酸化炭素は中程度から危険暴露及び慢性から急性症状に及ぶためである。カーガレージ内では日常作業中に数分間で衛生安全推奨レベルを超える可能性がある。ガス機器の不良排煙は衛生安全推奨レベルを更に短い時間内に超え得る；
・ ５０ｐｐｍの一酸化炭素が存在する空気品質環境では、その空気は英国の衛生安全委員会に従って安全である；
・ ２００ｐｐｍ又は７０ｐｐｍのレベルの環境では、人は２−３時間以内に軽い頭痛を生じる；
・ ４００ｐｐｍの環境では、人は１−２時間以内に前頭部頭痛を生じ、３時間以内に頭全体に広がる；
・ ８００ｐｐｍの環境では、人は４５分以内に目まい、吐き気、けいれんを生じ、２時間以内に意識不明になる；
・ 空気品質監視装置のプロセッシング手段及び／又はコントローラ及び／又は記憶手段は、危険を検出した時刻を記録する、測定された変化を所定に期間に亘り記録する、及び総合暴露時間を起算するように構成される；
・ 幼児に対しては５ｐｐｍで危険になり、７０ｐｐｍで直に避難する必要があるため、監視装置には監視装置の感度を変える手段が組み込まれ、所定のアラームに対するしきい値を目的の使用モードに応じて下げたり上げたりすることができる；
・ 監視装置のディスプレイ部分は重篤な身体危害が発生する前に暴露／避難時間を表示することができ、例えば検出レベルに応じて２時間又は２０分を表示することができる；この機能は、危険検出時刻と安全レベルを超えている時間を記録することによって達成される；
・ 時間と危険の両方を監視して動作する監視装置は、救急隊員及び／又は軍人が所定の状況の適切な管理を決定するのを助けることができる。
・ インジケータをユーザインタフェースの一部分として例えば時計上に設けることができる；これは危険レベルをグラフィック表示する形態にすることができる；これは例えば暴露計とすることができる。
・ ディスプレイは、中毒になって混乱状態にあり、与えられたｐｐｍレベルを簡単に読み取れない人が容易に理解できるグラフィック式にすることができる；
・ 監視装置が正しく機能していることを示す視覚的確認を装置に与えるために、装置コントローラを用いて読み出しを絶えず変化させることができる；絶えず変化する読み出し機能は遥かに正確な試験手段である（検出器ユニット内の従来の試験ボタンは回路をのみを試験し、検出器自体を試験していない）；
・ ユーザインタフェース及び適切なプロセッシング手段は、臨界暴露／避難時間を個人の特性に基づいて決定するために、ユーザに性別、体重、年齢、健康状態を装置に設定するように構想される。
・ これにより、基準を例えば子供部屋に対して調整し、アラームモードを子供と保護者からより迅速な応答が得られるように調整することができる；
・ 空気品質監視装置は、必要に応じ、所定の年齢層に対して特別に調整した音声アラーム及び案内システムを組み込むことができる；これは、１０回の大きなビープ音と「危ない、起きろ」又は「すぐ部屋を出て助けを呼びなさい」などの指令の形をとることができる。
・ 空気品質監視装置は、必要に応じ、音声アラーム、個人向けアラームを記録する手段及びアラームを鳴らす手段を組み込むことができる。
・ 空気品質監視装置は、必要に応じ、例えば室外でアラームを発生するリモートスピーカ及び室内でアラームを発生するローカルスピーカを組み込むことができる；室内のアラームは対象者に対して調整するのが好ましく；例えば幼児の場合には、数回の訓練で２−３歳の幼児に理解できるものとすべきである。
・ 空気品質監視装置は、必要に応じ、フルアラームと上昇アラームとの間で切り替え可能なアラームを組み込むことができる；これは、装置の近くで使用される運命のデバイスに使用すると特に有利であり、例えば８５デシベルの緊急アラーム鳴動は非常識であり、望ましくない；臨界暴露カウントダウンに従うアラーム応答が賢明である；
・ 聴覚障害者に特に有用なバイブレータ又はストローブガードを必要に応じ設けることができる。
・ 空気品質監視装置は、アラーム信号を例えばＢｌｕｅｔｏｏｔｈ（登録商標）技術により無線で送信する送信機を組み込むのが有利である；
・ 携帯型の空気品質監視装置はベッドサイドテーブルに置かれるかのしれないため、空気品質を監視する最適位置に置かれない可能性がある；この場合には、センサを装置の主要部から離すために伸縮アーム型又は折り畳み又は旋回可能なフラップ型のホルダが構想され、装置の主要部をユーザの近くに位置させ、センサを空気品質を監視するのに最適な位置に位置させることができる；
・ 本発明の種々の構成要素のコンポーネントを一つ以上のくぼみを有する単一の筐体に収納し、検出増強のために単一の絵画用フックで壁に架けることができる；
・ 装置上のパッドに密着するフィラメントテープ又は磁気取り付けに適した冷蔵庫又は他の材料上への取り付け用磁気ストリップなどの他の取り外し可能な取り付け手段が構想される；
・ 取り付けくぼみのオプションが選択される場合には、旅行用時計の背面の中心に位置させることができるＡ又はＷ型くぼみが好ましい。
・ 監視装置は夜間動作に対する自動保護機能を組み込むことができる；この機能は、検出器ユニットを時間記録装置と組み合わせて、例えば夜間と決定された期間中は余分の感度を及び／又は異なる応答プロファイルを有するようにし、例えば日中より急速に上昇するアラームを使用することによって与えることができる。
・ 監視装置は無線ネットワークとコンパチブルにする手段を組み込むことができる。これにより、外部コンピュータの必要なしに、危険源のインテリジェント検査、推奨非難ルートの通知が可能になる；装置はどれが最初に危険を検出したか検出し、次に広がりパターンを監視することができる；赤色ＬＥＤは危険の急接近を示し、黄色／緑色は避難ルートが比較的安全であることを示す；マスタユニットに増大メモリを設けることができる。
・ 装置は一つ以上のポート、例えばパーソナルコンピュータでデータ計算するためのＵＳＢポート、メモリカードポート及び他の適切な媒体用のポートを有することも想定される；
・ 装置は防水又は防沫にすることもできる；
・ 装置は空気を装置に取り込む量を高める手段を組み込むこともできる；このような手段は例えば時計又は他のデバイスに位置する一連の又は単一の通気口又はポンプとすることができる；通気口は時計／デバイスの底面に位置させるのが好ましい。
・ 装置はイベントタイムをスタンプする手段を組み込む；これは現在の危険の三角測量、危険源の追跡及び多数の装置が配置（及び／又はネットワーク化）されている場合には最速避難ルートの決定を容易にする；
・ 臨界暴露カウントダウン（例えば、「危険暴露まで２時間」又は「直に非難せよ」）
・ 電池交換を避けるために装置を回して電池を充電する手段；
・ 当該装置は、本出願人が本願と同日に出願した出願に十分に記載されている旅行荷造り援助システムである、いわゆる「ｐａｃｋ−ｍｅ」機能を組み込むこともできる；広義では、「ｐａｃｋ−ｍｅ」機能は荷造りすべき一つ以上の物品に特有の警告信号をユーザに通知する手段及びユーザに物品を荷造りすることを思い出させるためにユーザの位置変化前の期間中に前記信号のユーザへの通知をトリガするコントローラを備える。
【０２１０】
図１４は、マスタデバイス２０２及び関連するスレーブデバイス２０３のシステムブロック図を示す。両デバイスは「ｐａｃｋ−ｍｅ」とも称される旅行荷造り援助システム２０１のコンポーネントを構成する。マスタデバイス２０２はマイクロコントローラデバイス２０４、トランシーバデバイス２０５、オーディオデバイス２０６、ディスプレイデバイス２０７、ユーザ入力デバイス２０８及び電源ユニット２０９を含む。スレーブデバイス２０３は受信デバイス２１０、オーディオデバイス２１１、マイクロコントローラ２１２、ディスプレイデバイス２１３、リマインドアゲイン入力デバイス２１４及び電源ユニット２１６を含む。
【０２１１】
マスタデバイス０２は旅行の際にユーザが携帯して使用し得る携帯デバイスである。携帯デバイスは、典型的には次のタイプのデバイス、携帯電話、携帯ＴＶ、携帯情報端末（ＰＤＡ）、ラップトップ、ゲームコンソール、携帯トイ、腕時計／時計、音楽プレーヤ、双眼鏡、カメラ、ビデオカメラ、双方向ラジオ、携帯ＤＶＤ、コンピュータ周辺装置（Ｍｉｃｅ）、ＭＰ４プレーヤ、ヘッドセット、衛星ナビゲーションシステム又はＰＳ（全地球測位システム）のような携帯ナビゲーショングッズ、バイクコンピュータ、ゴルフコンピュータ、フィットネス時計、髭剃り、電気／電子ゲーム、パズルなどの電気機器及びキーボードのうちの一つである。関連するスレーブデバイス２０３は、典型的には次のデバイス、携帯電話充電器、携帯デバイス充電器、電源パック、アンテナ、カード(スマート)、ユーザが荷造り後退出した後に見落として部屋に置き忘れる惧れがあるアクセサリ類のうちの一つである。
【０２１２】
マイクロコントローラ２０４は電源ユニット２０９で附勢される。この電源はＰａｃｋ−Ｍｅシステムが組み込まれるマスタデバイス２０２の電源とすることもできる。マイクロコンピュータ２０４はディスプレイデバイス２０７、トランシーバデバイス２０５、オーディオデバイス２０６及びユーザ入力インタフェース２０８に接続される。
【０２１３】
マスタデバイス２０２は、一つ以上のセンサ入力を監視することによって、旅行モードかどうかを自動的に又は手動的に検出することができる。マスタデバイス２０２が旅行モードであることを検出すると、マイクロコントローラ２０４は「リマインダに入る」ルーチンを呼び出す。「リマインダに入る」ルーチンは、デバイスのユーザに、次のリマインダイベントの生成に必要なデータ属性を入力するようにディスプレイデバイス２０７で促す。データ属性は次の形態にすることができる。
・ ホテル名
・ 部屋番号
・ 出発日
・ 出発時刻
・ 起動周期（出発前時刻）
・ 選択デバイス
・ リマインダメッセージ
【０２１４】
データ属性はユーザ入力デバイス２０８により入力する。例えば、デバイスユーザは、チェックアウト時に携帯電話充電器をホテルの部屋に置き忘れないように、以下のデバイス属性を入力する。
・ ホテル名＝バビロン
・ 部屋番号＝４０８
・ 出発日＝０７／０７／２００８
・ 出発時刻＝０９：００
・ 起動周期（出発前時刻）＝０８：００
・ 選択デバイス＝携帯電話充電器
・ リマインダメッセージ＝携帯電話充電器を忘れるな
【０２１５】
発生されたリマインダイベントは、入力された出発時刻０９：００時より１時間前の０８：００時に起動される。リマインダイベントはスレーブデバイス２０３に組み込まれたＰａｃｋ−Ｍｅ回路を起動すると同時に、リマインダメッセージがディスプレイデバイス２０７によりデバイスユーザに表示され、この場合にはユーザに携帯電話充電器をわすれないように知らせる。ホテル名及び部屋番号のログはユーザの宿泊施設の正確な記録を提供し、後日検索することができる。リマインダイベントは一つ以上の選択デバイス及びそれらの関連メッセージとともに使用することを目的としている。リマインダイベントは入力した出発日時について複数のデバイスに対する複数の起動周期とともに使用することも目的としている。
【０２１６】
リマインダイベントがマスタデバイス２０２内で発生され、ログされると、マイクロコントローラはマイクロコントローラの内部クロック２１８により現在日時を連続的に監視する。マイクロコントローラ２０４はすべてのリマインダイベントを現在日時と比較してリマインダイベントが正当であるかを検出する。リマインダイベントが検出され、活性化されると、マイクロコントローラは「アクノレッジスレーブデバイス」ルーチンを呼び出す。「アクノレッジスレーブデバイス」ルーチンは、マスタデバイス２０２の近くの任意のスレーブデバイス２０３の存在を検出する。マスタデバイスはトランシーバ２０５のブロードキャスト範囲内にあるすべてのスレーブデバイスをピング（ｐｉｎｇ）する。ピング信号を受信するすべてのスレーブデバイスは、複合識別／ステータス信号を送信することによってマスタデバイスに応答する。マスタデバイス２０２はスレーブデバイス２０３からの応答信号を受信し、関連するスレーブデバイスが存在するか決定する。関連するスレーブデバイスが存在する場合、マイクロコントローラはスレーブデバイス２０３に組み込まれているＰａｃｋ−Ｍｅ回路を起動する。従って、ユーザが施設をチェックアウトするとき、スレーブデバイスの存在を警告し、置き忘れることがないようにすることができる。
【０２１７】
スレーブデバイス２０３が起動されると、マイクロコントローラ２０４は、ユーザが最初に設定した起動周期に等しい値が初期設定されている内部タイマ(1)２１７のデクリメントを開始する。スレーブデバイス２０３は、タイマ(1)２１７がこの値をデクリメントしている間のみアクティブになる。タイマ値が零にデクリメントされると、マイクロコントローラ２０４がディスプレイデバイス２０７及びオーディオデバイス２０６によりユーザへのオーディオ及びビデオ警告を開始させるため、ユーザの注意を引く力が増大する。マスタデバイス２０２は「リマインダアゲイン」機能を有し、このルーチンは、起動されると、タイマを初期値にリセットし、第２のタイマ（2)２１５のカウントダウンを自動的に開始させる。第２のタイマ(2)２１５が零にデクリメント(タイムアウト)すると、マイクロコントローラ２０４がタイマ(1)２１７のデクリメントを開始する。タイマ(2)２１５は設定期間（ユーザが入力し得る）の経過後にリマインダイベントの再開させることができるスヌーズ型タイマである。「リマインダアゲイン」機能はアラームクロックの従来の「スヌーズ」機能に類似することを意図している。
【０２１８】
マスタデバイスは「アラームカレンダ」機能を有し、この機能はスレーブデバイス２０３に埋め込まれたＰａｃｋ−Ｍｅ回路を不活性化することによってリマインダイベントを不活性化する。
【０２１９】
Ｐａｃｋ−Ｍｅシステムの典型的な応用は携帯電話（マスタデバイス）及び該携帯電話を充電するのに必要な関連電池充電器（スレーブデバイス）である。Ｐａｃｋ−Ｍｅシステムが組み込まれた携帯電話は携帯電話の関連充電器内のアラームデバイスを、ユーザがホテルをチェックアウトする前に、所定の時間間隔で起動する。スレーブデバイスの起動はユーザの注意を引きつけるため、ユーザがスレーブデバイスを置き忘れることを防止する。Ｐａｃｋ−Ｍｅシステムの典型的な応用の他の例は、携帯電話（マスタデバイス）及び一酸化炭素（ＣＯ）検出器のような関連安全装置（スレーブデバイス）であり、この安全装置はユーザが室内のＣＯレベルを監視するのに必要とされる。Ｐａｃｋ−Ｍｅシステムは安全意識の強いユーザが一酸化炭素検出器をうっかり置き忘れるのを防止する。Ｐａｃｋ−Ｍｅシステムの典型的な他の例ではラップトップにＰａｃｋ−Ｍｅシステムが組み込まれ、ユーザ出発時に電池充電器、マウス、プリンタ及びマウスマットなどの関連デバイスと通信する。
【０２２０】
Ｐａｃｋ−Ｍｅシステムの典型的な応用の別の例では、システムデバイスを「ページング」機能と組み合わせる。「ページング」機能は各スレーブデバイスを内臓電源と組み合わせる必要がある。典型的には、電池又は再充電可能電池によりスレーブデバイスを給電されたままにして、スレーブデバイスがマスタデバイスから発するページング／ウェイクアップ信号を受信できるようにする。例えば、ページング機能が付加されたＰａｃｋ−Ｍｅ機能が組み込まれた携帯電話は、起動時に関連モバイル充電デバイス（スレーブデバイス）を呼び出すことができる。モバイル充電デバイスが再充電可能電池を内蔵する場合、電池は充電デバイスが幹線電源に接続されたとき充電することができる。マスタデバイスはラップトップコンピュータのような別のデバイスの形にし、これにより多数のスレーブデバイスから一つのスレーブデバイスを選択し、それを呼び出してその物理的位置を見つけることができる。
【０２２１】
システムデバイスはＰａｃｋ−Ｍｅシステムから分離して存在するページング機能と組み合わせることもできる。従って、テレビジョン製造業者はＰａｃｋ−Ｍｅシステムを必要としないで、ＴＶと関連リモートコントロールデバイスとの間の専用の「ページング」システムを組み込みたいと希望することができる。
【０２２２】
図１５は図１４に示すマスタデバイスの実施例の機能図を示す。
【０２２３】
図１６は図１４に示すスレーブデバイスの実施例の機能図を示す。
【０２２４】
図１７は、Ｐａｃｋ−Ｍｅシステム２１９の代替実施例を示し、本システムはユーザ入力デバイス２３０、ラジオチューナ２３１、ＧＰＳ受信機２３２、ＬＡＮインタフェース２３３及び内部クロック２３４を具える
【０２２５】
ラジオチューナ２３１は、典型的には商業ラジオ局から放送されるラジオ信号２２１に埋め込まれている時刻データを抽出するコンポーネントである。ラジオ局は時刻を可聴及び機械可読コードの両形式で放送し、この時刻コードはラジオクロック及びラジオ制御時計の基準として使用することができる。
【０２２６】
全地球測位システム（ＧＰＳ）受信機２３２は、衛星信号に埋め込まれた時刻データを抽出するコンポーネントである。殆どのクロックは協定世界時（ＵＴＣ）に同期され、衛星に組み込まれた原子クロックはＧＰＳ時刻に設定されている。両システム間の差は、ＧＰＳ時刻は地球の回転に合致するように補正されていないため、ＵＴＣに周期的に加えられる閏秒又は他の補正を含んでいない。ＧＰＳ時刻は１９８０年に協定世界時ＵＴＣに合致するように設定されたが、それ以来ずれている。補正の欠落は、ＧＰＳ時刻は国際原子時刻（ＴＡＩ）と一定時間（１９秒）オフセットしたままであることを意味する。相対論的効果を補正し地上クロックとの同期を維持するために周期的時刻補正が衛星搭載クロックに実行される。ＧＰＳナビゲーションメッセージはＧＰＳ時刻とＵＴＣとの差を含み、２００６年の差は、閏年であるため、１４秒であり、２００５年１２月３１日にＵＴＣに加えられた。受信機はＧＰＳ時刻からこのオフセットを引き算してＵＴＣ及び特定時刻値を計算する。新しいＧＰＳユニットは、ＵＴＣオフセットメッセージを受信するまでは正しいＵＴＣ時刻を示すことはできない。ＧＰＳ／ＵＴＣオフセットフィールドは２５５秒（８ビット）を収容でき、これは現在の地球回転の変化率の範囲を超え、２３３０年まで足りる。
【０２２７】
ＬＡＮインタフェース２３３は、ＰＣローカルエリアネットワーク（ＬＡＮ）から時刻信号を抽出するコンポーネントであり、よってマスタデバイス２２０をローカルＰＣネットワークに同期させることができる。
【０２２８】
マイクロコントローラ２２８は、マスタデバイスがローカル時刻を取得できるようにする「時刻取得」ルーチンを呼び出す。ローカル時刻値は複数の時刻源、例えばローカル無線ネットワーク２２１、ＧＰＳ衛星ネットワーク２２２、インターネット２２３、ＰＣＬＡＮからの同期２２４又はユーザ入力デバイス２３０による手動入力時刻値から抽出することができる。ローカル時刻が得られたら、この時刻はマイクロコントローラ２２８に記憶されている最後に知った時刻と比較される。２つの時刻値が一致しない場合には、これはマスタデバイス２２０が新しいタイムゾーンに位置する結果である。この処理により、マイクロコントローラ２２８は旅行モードでありＰａｃｋ−Ｍｅシステムを起動することを決定することができる。
【０２２９】
図１８は図１７に示す実施例の機能図を示し、これは図１５に示す旅行検出判定ブロックを表す。  
【０２３０】
図１９はＰａｃｋ−Ｍｅシステム２３５の代替実施例を示し、本システムはモバイルネットワーク（ＧＳＭ）及び／又は衛星ネットワーク（ＧＰＳ）２３８と通信してマスタデバイスの地理的位置を決定するマスタデバイス２３６を含む。マスタデバイス２３６は、トランシーバデバイス２３９、ディスプレイデバイス２４０、マイクロコントローラ２４１、オーディオデバイス２４２、ユーザ入力デバイス４３，ＧＰＳ受信機２４４及びＧＳＭ受信機２４５を含む。
【０２３１】
ＧＰＳ受信機２４４は、その実際の位置を、地球を周回するＧＰＳ衛星のコンステレーションを介して送られる信号を注意深く計時することによって計算するコンポーネントである。各衛星は、メッセージ送信時刻、メッセージを送信する衛星の正確な軌道（エフェメリス）、健全な全系及び全ＧＰＳ衛星の大まかな軌道（アルマナク）を含むメッセージを連続的に送信する。ＧＰＳ受信機は各メッセージの到着時間を用いて各衛星までの距離を測定し、これらの距離から、幾何学及び三角法（３辺測量）を用いて受信機の位置を決定する。得られた座標を緯度及び経度又は地図上の位置のようなユーザフレンドリーな形のデータに変換し、ユーザに表示する。空間は３次元であるため、位置決定には３つの衛星が必要とされる。しかし、３衛星法はナノ秒単位又は非実験室クロックよりはるかに高精度の時刻を必要とする。４つ以上の衛星を用いると、受信機は時刻及び地理的位置を解決することが可能になり、超高精度クロックの必要がなくなる。
【０２３２】
ＧＳＭ受信機２４５は、通常ユーザの位置を決定目的でマルチラテレーションを用いてＧＳＭ携帯電話の位置を決定するコンポーネントである。３つのタイプのＧＳＭ位置決定、即ちネットワークタイプ、ハンドセットタイプ及び両タイプの混合であるハブリッドタイプがある。ネットワークベース方式はサービスプロバイダのネットワーク構造を利用してハンドセットの位置を識別する。ネットワークベース方式の利点は、押し付けがましくなく実施でき、ハンドセットに何の影響も与えない点にある。ネットワークベース方式の精度は変化し、セル識別の場合に最低精度、３角測量の場合に最高精度になる。ネットワークベース方式の精度は基地局の密度に密接に依存し、都市環境では可能な最高精度を達成できる。ハンドセット方式はその位置決定のためにハンドセットにクライアントソフトウェアをインストールする必要がある。この方式は、ハンドセットの位置を、セル識別、ホーム及び隣接セルの信号強度又は緯度及び経度（ＧＰＳモジュール付ハンドセットの場合）によってその位置を計算することにより決定する。計算された位置はハンドセットから位置サーバへ送られる。この方式の重大な欠点は、ハンドセットにソフトウェアをインストールする必要があることである。これには、携帯電話加入者とソースの協力を必要とし、ハンドセットの種々のオペレーティングシステムを処理できるようにしなければならない。典型的には、シンビアン社のＥｐｏｃｈ（登録商標）及びマイクロソフト社のウィンドウズモバイル（登録商標）などのモバイルオペレーティングシステムに基づくスマートフォンのみがこのようなソフトウェアを実行できる。一例は、位置計算にＧＰＳとネットワーク情報とを用いる補助ＧＰＳである。ハイブリッド方式は最高精度の３つの形の位置を与えるが、ネットワークベース方式及びハンドセット方式の制限及び課題を引き継ぐ。
【０２３３】
マイクロコントローラ２４１はモバイルネットワーク（ＧＳＭ）２３７及び／又は衛星ネットワーク（ＧＰＳ）２３８からマスタデバイス２３６の地理的位置を表すデータを抽出する。マイクロコントローラ２４１は、接続されたネットワークから位置データを抽出し、このデータをマスタデバイス２３６の最後に知った位置データと比較する「位置取得」ルーチンを呼び出す。得られた位置データがマイクロコントローラの先に記憶された位置データと異なる値を有する場合には、マイクロコントローラ２４１は、マスタデバイスは旅行状態であることを検出し、Ｐａｃｋ−Ｍｅシステムを起動する。
【０２３４】
図２０は図１８に示す実施例に対する機能図を示し、これは図１５に示す旅行検出判断ブロックを表す。
【０２３５】
図２１は、幹線電圧供給を監視することによってデバイスが旅行モードであるかを検出するＰａｃｋ−Ｍｅシステム２４６の代替実施例を示す。幹線供給電圧の監視は幹線電圧レベル及び幹線電圧周波数の監視を含む。マスタデバイス２４６はディスプレイデバイス２４８、マイクロコントローラ２４９、オーディオデバイス２５０、ユーザ入力デバイス２５１及び電源モニタ２５２を含む。
【０２３６】
電源モニタ２５２は、幹線電圧供給を監視してマスタデバイスが位置を変えたかどうかを決定するコンポーネントである。いくつかの状態が異なる供給電圧及び供給周波数を有し、互いに区別できる。
【０２３７】
マスタデバイス２４６内のマイクロコントローラ２４９は、マスタデバイス２４６が幹線電源に接続されたときの幹線電圧レバル及び幹線周波数を表すデータを記憶する。マイクロコントローラ２４９は、供給電圧及び供給周波数データが、マスタデバイス２４６がその前に幹線電源に接続されたときに取得されたデータと異なる場合に、それは旅行状態である決定する。マイクロコントローラ２４９は、旅行状態を検出すると、Ｐａｃｋ−Ｍｅシステムを起動する。電圧レベルは一般に１００−２４０ボルト（通常平均平方根電圧）の範囲である。供給電圧周波数は通常５０Ｈｚ又は６０Ｈｚである。例えば、英国は５０Ｈｚの周波数で２３０ボルトの幹線供給電圧レベルを使用している。従って、監視される幹線電源がこの既知の電圧レベル及び周波数と大きく異なる場合には、別の状態の幹線電源を検出する手段として使用できる。マイクロコントローラは監視している実際の幹線供給電気と所定の電圧レベル及び周波数の既知の値との間に大きな差を決定する場合には、旅行状態にあると決定し、Ｐａｃｋ−Ｍｅシステムを起動する。
【０２３８】
図２２は図２１に示す実施例に対する機能図を示し、これは図１５に示す旅行検出判断ブロックを表す。
【０２３９】
図２３は、Ｐａｃｋ−Ｍｅシステム２４７の代替実施例を示し、本システムはディジタルバーサタイルディスク（ＤＶＤ）のようなデータ記憶デバイスから発するオリジナルカラー符号化信号又は地上ＴＶ信号を取り出すことによって旅行モードを決定するマスタデバイス２５５を含む。マスタデバイス２５５はトランシーバデバイス２５６、ディスプレイデバイス２５７、マイクロコントローラ２５８、オーディオデバイス２５９、ユーザ入力デバイス２６０、デバイス記憶デバイス２６１、ＴＶチューナデコーダ２６２、カラー信号デコーダ２６３及び地域デコーダ２６４を含む。
【０２４０】
カラー信号デコーダ２６３は、ＴＶ信号に埋め込まれているカラー信号を復号するコンポーネントである。カラーデコーディングシステムに３つの主なタイプ、即ちＰＡＬ(Phase Alternating Line)、ＮＴＳＣ（National Television System Committee）及びＳＥＣＭ（Sequential couleur a memoire）がある。１２０以上の国及び地域が地上ＰＡＬカラー符号化システムを使用しており、英国はこれらの国の一つである。６１以上の国がＮＴＳＣカラー符号化信号を使用している。このシステムを使用している最もポプラーな地域は北アメリカ、中央アメリカ、カリブ海、南アメリカ、アジア及び米国領土及び太平洋諸島であり、主なユーザは米国である。６０以上の国がＳＥＣＡＭカラー符号化信号を全国テレビジョン放送システム用に使用している。このシステムを使用する最もポピュラーな地域はアフリカ、アジア、太平洋諸島、ヨーロッパ（主にフランス）、旧ＵＳＳＲ及びアメリカである。カラー信号デコーダ２６３はテレビジョン信号に埋め込まれているカラー信号を復号する。復号された情報はマイクロコントローラ２５８に送られ、マイクロコントローラはテレビジョン信号に組み込まれているカラー符号化信号のタイプを決定する。
【０２４１】
マスタコントローラ２５８が、カラー符号化データ信号が既知の信号のデータと相違することを決定する場合には、マスタコントローラ２５８は旅行状態にあり、マスタデバイス２５５は別の状態のテネットワーク内に物理的に位置することを決定する。マスタコントローラ２５８は次にＰａｃｋ−Ｍｅシステムを起動する。
【０２４２】
データ記憶デバイス２６１は典型的にはＤＶＤ又は他の新技術採用デバイス、即ち「Ｂｌｕｅ−ｒａｙ」ディスクなどの光記憶デバイスである。予め記録されたＤＶＤは、そのＤＶＤを再生できる地域を制限する地域コードが埋め込まれている。地域コードのないＤＶＤディスクは全地域０ディスクとして知られている。市販ＤＶＤプレーヤ仕様は、ある地域で販売されるプレーヤは異なる地域に対して符号化されたディスクを再生できないことを要求している（地域０は制限されない）。これは、主として、映画撮影スタジオがコンテンツ発売日及び特にファイルの価額を含む発売の態様を地域に応じて接続可能にするためである。１０の地域コードがあり、これらは０からＡＬＬで、以下の通り規定されている。
【０２４３】
・地域コード０：非公式用語意味（世界中）地域０は公式設定ではない；地域０シンボルを有するディスクはフラグセットなしか地域１−６のフラグセットを有する；
・ 地域コード１：カナダ、アメリカ及びその保護領、バミューダ諸島
・ 地域コード２：ヨーロッパ、西アジア、オランダ、エジプト、日本、レソト、南アフリカ、スイス、英国保護領、フランス保護領、グリーンランド及び英国；
・ 地域コード３：南西アジア、韓国、香港、マカオ及び台湾；
・ 地域コード４：オセアニア、中央及び南アメリカ、カリブ海諸国及びメキシコ； 
・ 地域コード５：アフリカ、中央及び南アジア、ベルラーシ、モンゴル、北朝鮮及びウクライナ；
・ 地域コード６：中国本土
・ 地域コード７：予備（アジアにおけるＭＰＡＡ関連ＤＶＤのコピー保護及びプレスリリースの「メディアコピー」の保護に使用が見込まれる）
・ 地域コード８：飛行機、客船などの国際領域
・ 地域コードＡＬＬ：地域ＡＬＬディスクは８つのフラグセットを有し、世界中のどの地域でもどのプレーヤでも再生できる；
【０２４４】
データ記憶デバイス２６１は、記憶データを地域デコーダデバイス２６４に送る。地域デコーダデバイス２６４は受信データから地域コードを抽出し、地域コードデータをマイクロコントローラ２５８に送る。マイクロコントローラ２５８が、地域コードデータが既知の地域コードのデータと異なることを決定する場合には、マイクロコントローラ２５８は、旅行状態であって、マスタデバイス２５５は別の地域コード管轄地域内に物理的に位置することを決定する。
【０２４５】
図２４は図２３に示す実施例に対する機能図を示し、これは図１５に示す旅行検出判断ブロックを表わす。
【０２４６】
図２５はＰａｃｋ−Ｍｅシステム２６５の代替実施例を示し、本システムはスキャナデバイス２６７やｅメール２７５からの文書のテキスト及びインターネット２７６上のウェブページのコンテンツを分析することによって旅行モードを決定するマスタデバイス２６６を含む。マスタデバイス２６６はトランシーバデバイス２６８、ディスプレイデバイス２６９、マイクロコントローラ２７０、オーディオデバイス２７１、ユーザ入力デバイス２７２、ＬＡＮインタフェース２７３及びユニバーサルシリアルバス（ＵＳＢ）インタフェース２７４を含む。
【０２４７】
スキャナデバイス２６７は、画像、印刷テキスト、手書き文書又は物体を光学的にスキャンしてディジタルイメージに変換するコンポーネントである。典型的な例は文書をスキャン用のガラス窓の上に置くデスクトップ（フラットベッド）スキャナデバイスある。フラットベッド設計は実用的でない大きなフォーマット文書に対しては、典型的には手で動かすハンドヘルドスキャナ及び文書を幾何的に動かす機械駆動スキャナが使用される。最新のスキャナはイメージスキャナとして電荷結合デバイス（ＣＣＤ）又はコンタクトイメージセンサ（ＣＩＳ）を使用している。高速文書走査に使用される回転スキャナはマルチプライヤの代わりにＣＣＤアレイを用いたドラム型スキャナデバイスある。他のタイプのスキャナは本や文書の写真をかき集めるプラネタリスキャナ及び物体の３次元モデルを生成する３Ｄスキャナである。
【０２４８】
ユニバーサルシリアルバス(ＵＳＢ)インタフェース２７４は、ユニバーサルシリアルバスを他のインタフェースデバイスへと駆動するコンポーネントである。ＵＳＢは、多くの周辺装置を単一標準化インタフェースソケットを用いて接続できるように設計されているとともに、コンピュータを再起動することなくデバイスを接続及び切断可能にすること（ホットスワッピングとして知られている）によってプラグ＆プレイ機能を向上するように設計されている。他のＵＳＢの特徴は、外部電源の必要なしに低電力消費デバイスの電力を供給できること及び製造業者特有のデバイスドライバをインストールする必要なしに多くのデバイスを使用できることにある。
【０２４９】
スキャナデバイス２６７は文書内のテキストをディジタルイメージに変換する。ディジタルイメージデータは次にＵＳＢインタフェースデバイス２７２を介してマスタデバイス２６６に送られ、インタフェースデバイス２７２はこのディジタルデータをマイクロコントローラ２７０に送る。マスタコンピュータ２７０は次にスキャナから取得したディジタルデータを他の言語を表わす既知のデータと比較する。両データのタイプが同等でない場合には、マイクロコントローラ２７０は旅行状態であることを決定する。次にマイクロコントローラ２７０はＰａｃｋ−Ｍｅシステムを起動する。
【０２５０】
図２６は図２５に示す実施例に対する機能図を示し、これは図１５に示す旅行検出判断ブロックを表わす。
【０２５１】
図２７はＰａｃｋ−Ｍｅシステムの代替実施例を示し、本システムはマスタデバイス外面の圧力を圧力パッド２７７及び２７８により検出することによって旅行モードであることを決定するマスタデバイス２８８を含む。圧力パッド２７７及び２７８は圧力パッドデータをマイクロコントローラ２８４に送る。マスタデバイスへの外部圧力は矢印２７９及び２８０により示されている。圧力パッド２７７及び２７８は、旅行状態を決定する方法としてマスタデバイス外面に印加される外部圧力を検出する。印加圧力はマスタデバイス２８８がスーツケース又は他の旅行かばん内に詰め込まれていることを示す。マスタデバイス２８８は、マスタデバイス外面への光の存在（又は光の不在）を検出する２つの光センサ２８１及び２８８も備える。マイクロコントローラ２８４は光センサ２８１及び２８２から送られる照明データを受信してマスタデバイスがスーツケース及び／又は他の旅行かばん内に詰め込まれているかどうかを決定する。マイクロコントローラ２８４は、マスタデバイス外面への光がないことを表わすデータを受信する場合には、旅行状態であることを決定する。次にマイクロコントローラ２８４はＰａｃｋ−Ｍｅシステムを起動する。マスタデバイス２８８はディスプレイデバイス２８３、マイクロプロセッサ２８４、オーディオデバイス２８５及びユーザ入力デバイス２８６も含む。
【０２５２】
図２８は図２７に示す実施例に対する機能ブロック図を示し、これは図１５の旅行検出判断ブロックを表わす。
【０２５３】
図２９はユーザがユーザ入力デバイス２９３によりマスタデバイス２８９に入力する典型的なデータ属性の例を示す。対話ボックス２８９は短いリマインダチェックリストのためのデータ属性を列挙し、これはホテルからの出発時にユーザに選択アイテムを思い出すように知らせる。対話ボックス２９０はユーザの出発時刻前のＰａｃｋ−Ｍｅの起動期間のためのデータ属性を列挙する。対話ボックス２９１はリマンダアゲイン機能のためのデータ属性を列挙し、これは典型的な目覚まし時計のスヌーズ機能に類似する。この機能は所定の期間２９０が経過後にＰａｃｋ−Ｍｅシステムをリセットして再開する。
【０２５４】
図３０はＰａｃｋ−Ｍｅシステム３１６の代替実施例を示し、本システムは携帯電話３１７の形態のマスタデバイスを備える。携帯電話３１７は携帯電話充電器２９４  、腕時計２９５及びラップトップコンピュータ２９６である３つの関連スレーブデバイスと通信する。すべてのスレーブデバイス２９４−２９６は、起動時にユーザに知らせるオーディオアラームデバイス３１３−３１５を含む。携帯電話３１７はＰａｃｋ−Ｍｅマスタモジュール３１２を含み、スレーブデバイス２９４−２９６はＰａｃｋ−Ｍｅスレーブモジュール２９７−２９９を含む。
【０２５５】
図３１はＰａｃｋ−Ｍｅシステム３００の代替実施例を示し、本システムはトランシーバデバイス３０１、ディスプレイデバイス３０２、マイクロコントローラ３０３、オーディオデバイス３０４及びユーザユーザデバイス３０５を含む。この実施例のＰａｃｋ−Ｍｅシステムはユーザにより入力されたリマインダをＧＳＭモバイルネットワーク及び／又は衛生ネットワークＧＰＳなどの外部ネットワーク上でログする。リマインダイベントが関連するネットワーク上でログされると、ネットワークはメッセージをマスタデバイス３０８を介してユーザに通信する。メッセージはトランシーバ３０１により受信される。通信メッセージは従来のＳＭＳメッセージの形にすることができ、さもなければテキストメッセージ３０９及び３１０として知られる形にすることができ、トランシーバデバイス３０１により受信される。メッセージは次にマイクロコントローラデバイス３０３により処理され、ディスプレイデバイス３０２によりリマインダメッセージとしてユーザに表示される。
【０２５６】
以下はＰａｃｋ−Ｍｅとも称される旅行荷造り補助システムを説明する。
【０２５７】
2010534966.tif 000003
2010534966.tif 000004
【０２５８】
2010534966.tif 000005
2010534966.tif 000006
2010534966.tif 000007
2010534966.tif 000008
2010534966.tif 000009
2010534966.tif 000010
2010534966.tif 000011
【０２５９】
2010534966.tif 000012
2010534966.tif 000013
2010534966.tif 000014
2010534966.tif 000015
【０２６０】
Ｚｏｎｅｇａｒｄに対する更なる注釈：
・ Ｚｏｎｅｇａｒｄはホストデバイス内に挿脱されるモジュールとして設計することができる。
・ このモジュールはホストデバイスで充電されるため、ホストデバイスがスイッチオフされるとき（休暇中のＴＶ）でもＣＯ保護が有効である。この特定の実施は、非明示的に開示されていないため、この特定の実施例に対するフォールバックポジションを与えるために「トップアップ」アプリケーションの一部分でなければならない。
・ Ｚｏｎｅｇａｒｄを組み込む具体的な台所用品、例えばオーブン及び／又は皿洗い機も最新技術から出発する。航空／航海機器、自動車機器へのＺｏｎｅｇａｒｄの組み込みも最新技術から出発する。
・ 特定のグループリストに依存するデータを入力することができる。
・ 余分の感度又は異なる応答プロファイルを装置に与えることができる。
【０２６１】
Ｐａｃｋ−Ｍｅに対する更なる注釈：
・ ページング機能は最新技術から完全に出発する；携帯電話のようなデバイスに無線送信機が組み込まれ、一方無線受信機はリモートコントロールヘッドフォン、マイクロフォン又は充電器のような周辺装置に組み込まれ、該受信機が適切な信号の受信時に音響及び／又は視覚及び／又は振動アラームを発生させる。
・ Ｐａｃｋ−Ｍｅを組み込む非携帯型の医療機器も想定される。
【図１】
2010534966.tif 000016
【図２】
2010534966.tif 000017
【図３】
2010534966.tif 000018
【図４】
2010534966.tif 000019
【図５】
2010534966.tif 000020
【図６】
2010534966.tif 000021
【図７】
2010534966.tif 000022
【図８】
2010534966.tif 000023
【図９】
2010534966.tif 000024
【図１０】
2010534966.tif 000025
【図１１】
2010534966.tif 000026
【図１２】
2010534966.tif 000027
【図１３】
2010534966.tif 000028
【図１４】
2010534966.tif 000029
【図１５−１】
2010534966.tif 000030
【図１５−２】
2010534966.tif 000031
【図１６】
2010534966.tif 000032
【図１７】
2010534966.tif 000033
【図１８】
2010534966.tif 000034
【図１９】
2010534966.tif 000035
【図２０】
2010534966.tif 000036
【図２１】
2010534966.tif 000037
【図２２】
2010534966.tif 000038
【図２３】
2010534966.tif 000039
【図２４】
2010534966.tif 000040
【図２５】
2010534966.tif 000041
【図２６】
2010534966.tif 000042
【図２７】
2010534966.tif 000043
【図２８】
2010534966.tif 000044
【図２９】
2010534966.tif 000045
【図３０】
2010534966.tif 000046
【図３１】
2010534966.tif 000047
【国際調査報告】
2010534966.tif 000048
2010534966.tif 000049